(57)【要約】  本発明の実施例に係る無線通信技術分野に関し、特に、フィードバック情報を送受信する方法及び装置に関する。本発明は、ＵｐＰＴＳで送信されたＰＵＳＣＨに対するACK / NACKフィードバックをどのように行うかとのの問題点を解決する。本発明の実施例に係る端末は、スペシャルサブフレームｎにおいてＰＵＳＣＨを送信し、サブフレームｎ+ｋＰＨＩＣＨにおいて前記ＰＵＳＣＨに対応するＰＨＩＣＨを受信し、前記ＰＨＩＣＨは前記ＰＵＳＣＨのフィードバック情報を搬送することに用いられ、ネットワーク側装置は、スペシャルサブフレームｎにおいてＰＵＳＣＨを受信し、サブフレームｎ+ｋＰＨＩＣＨにおいて前記ＰＵＳＣＨに対応するＰＨＩＣＨを送信する。こうして、ＵｐＰＴＳにおいて、ＰＵＳＣＨのＡＣＫ/ＮＡＣＫを伝送することができるようになった。
2019525537.tif 000002
【特許請求の範囲】
【請求項１】
端末は、スペシャルサブフレームｎにおいて物理アップリンク共有チャネル（ＰＵＳＣＨ）を送信するステップと、
前記端末は、サブフレームｋＰＨＩＣＨにおいて、前記ＰＵＳＣＨに対応するＨＡＲＱ（Ｐｈｙｓｉｃａｌ Ｈｙｂｒｉｄ Ａｕｔｏｍａｔｉｃ Ｒｅｐｅａｔ Ｒｅｑｕｅｓｔ）指示チャネル（ＰＨＩＣＨ）を受信するステップとを備え、
前記ＰＨＩＣＨは、前記ＰＵＳＣＨのフィードバック情報を搬送し、ｋＰＨＩＣＨは事前に約定したまたは設定した値であることを特徴とするフィードバック情報を受信する方法。
【請求項２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項１に記載のフィードバック情報を受信する方法。
【請求項３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、
前記サブフレームｎ+ｋＰＨＩＣＨに
【数１】
2019525537.tif 000254
グループのＰＨＩＣＨが含まれ、ｍiは１であり、
前記iは前記サブフレームｎ+ｋＰＨＩＣＨの番号であり、
【数２】
2019525537.tif 000255
は、高位層シグナリングにより設定したパラメータに基づいて決定されたＰＨＩＣＨグループ数であることを特徴とする請求項２に記載のフィードバック情報を受信する方法。
【請求項４】
前記端末は、サブフレームｎ+ｋＰＨＩＣＨにおいて前記ＰＵＳＣＨに対応するＰＨＩＣＨを受信するステップでは、
前記端末は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項３に記載のフィードバック情報を受信する方法。
【請求項５】
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数３】
2019525537.tif 000256
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数４】
2019525537.tif 000257
は、高位層シグナリングにより設定したパラメータに基づいて決定されたＰＨＩＣＨグループ数であることを特徴とする請求項２に記載のフィードバック情報を受信する方法。
【請求項６】
前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨの最小の物理リソースブロック（ＰＲＢ）インデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示す復調リファレンス・シンボル（ＤＭＲＳ）のサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なることを特徴とする請求項５に記載のフィードバック情報を受信する方法。
【請求項７】
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【数５】
2019525537.tif 000258
グループのＰＨＩＣＨリソースが含まれ、ｍiは２であり、
前記iは前記サブフレームｎ+ｋＰＨＩＣＨの番号であり、
【数６】
2019525537.tif 000259
は、高位層シグナリングにより設定したパラメータに基づいて決定されたＰＨＩＣＨグループ数であることを特徴とする請求項２に記載のフィードバック情報を受信する方法。
【請求項８】
前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項７に記載のフィードバック情報を受信する方法。
【請求項９】
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数７】
2019525537.tif 000260
グループのＰＨＩＣＨリソースが含まれ、ｍiが３であり、
前記iは前記サブフレームｎ+ｋＰＨＩＣＨの番号であり、
【数８】
2019525537.tif 000261
は、高位層シグナリングにより設定したパラメータに基づいて決定されたＰＨＩＣＨグループ数であることを特徴とする請求項２に記載のフィードバック情報を受信する方法。
【請求項１０】
前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項９に記載のフィードバック情報を受信する方法。
【請求項１１】
ネットワーク側装置は、スペシャルサブフレームｎにおいてＰＵＳＣＨを受信するステップと、
前記ネットワーク側装置は、サブフレームｎ+ｋＰＨＩＣＨにおいて前記ＰＵＳＣＨに対応するＰＨＩＣＨを送信するステップとを備え、
前記ＰＨＩＣＨは、前記ＰＵＳＣＨのフィードバック情報を搬送し、ｋＰＨＩＣＨは事前に約定したまたは設定した値であることを特徴とするフィードバック情報を送信する方法。
【請求項１２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項１１に記載のフィードバック情報を送信する方法。
【請求項１３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【数９】
2019525537.tif 000262
グループのＰＨＩＣＨが含まれ、ｍiは１であり、
前記iは前記サブフレームｎ+ｋＰＨＩＣＨの番号であり、
【数１０】
2019525537.tif 000263
は、高位層シグナリングにより設定したパラメータに基づいて決定されたＰＨＩＣＨグループ数であることを特徴とする請求項１２に記載のフィードバック情報を送信する方法。
【請求項１４】
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項１３に記載のフィードバック情報を送信する方法。
【請求項１５】
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数１１】
2019525537.tif 000264
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数１２】
2019525537.tif 000265
は、高位層シグナリングにより設定したパラメータに基づいて決定されたＰＨＩＣＨグループ数であることを特徴とする請求項１２に記載のフィードバック情報を送信する方法。
【請求項１６】
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なることを特徴とする請求項１５に記載のフィードバック情報を送信する方法。
【請求項１７】
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【数１３】
2019525537.tif 000266
グループのＰＨＩＣＨリソースが含まれ、ｍiは２であり、
前記iは前記サブフレームｎ+ｋＰＨＩＣＨの番号であり、
【数１４】
2019525537.tif 000267
は、高位層シグナリングにより設定したパラメータに基づいて決定されたＰＨＩＣＨグループ数であることを特徴とする請求項１２に記載のフィードバック情報を送信する方法。
【請求項１８】
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項１７に記載のフィードバック情報を送信する方法。
【請求項１９】
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数１５】
2019525537.tif 000268
グループのＰＨＩＣＨリソースが含まれ、ｍiが３であり、
前記iは前記サブフレームｎ+ｋＰＨＩＣＨの番号であり、
【数１６】
2019525537.tif 000269
は、高位層シグナリングにより設定したパラメータに基づいて決定されたＰＨＩＣＨグループ数であることを特徴とする請求項１２に記載のフィードバック情報を送信する方法。
【請求項２０】
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項１９に記載のフィードバック情報を送信する方法。
【請求項２１】
スペシャルサブフレームｎにおいてＰＵＳＣＨを送信する送信モジュールと、
サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値である第１受信モジュールとを備えることを特徴とするフィードバック情報を受信する端末。
【請求項２２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項２１に記載のフィードバック情報を受信する端末。
【請求項２３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【数１７】
2019525537.tif 000270
グループのＰＨＩＣＨが含まれ、ｍiは１であり、
前記iは前記サブフレームｎ+ｋＰＨＩＣＨの番号であり、
【数１８】
2019525537.tif 000271
は、高位層シグナリングにより設定したパラメータに基づいて決定されたＰＨＩＣＨグループ数であることを特徴とする請求項２２に記載のフィードバック情報を受信する端末。
【請求項２４】
前記第１受信モジュールは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項２３に記載のフィードバック情報を受信する端末。
【請求項２５】
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数１９】
2019525537.tif 000272
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数２０】
2019525537.tif 000273
は、高位層シグナリングにより設定したパラメータに基づいて決定されたＰＨＩＣＨグループ数であることを特徴とする請求項２２に記載のフィードバック情報を受信する端末。
【請求項２６】
前記第１受信モジュールは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なることを特徴とする請求項２５に記載のフィードバック情報を受信する端末。
【請求項２７】
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、
前記サブフレームｎ+ｋＰＨＩＣＨに
【数２１】
2019525537.tif 000274
グループのＰＨＩＣＨリソースが含まれ、ｍiは２であり、
前記iは前記サブフレームｎ+ｋＰＨＩＣＨの番号であり、
【数２２】
2019525537.tif 000275
は、高位層シグナリングにより設定したパラメータに基づいて決定されたＰＨＩＣＨグループ数であることを特徴とする請求項２２に記載のフィードバック情報を受信する端末。
【請求項２８】
前記第１受信モジュールは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項２７に記載のフィードバック情報を受信する端末。
【請求項２９】
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数２３】
2019525537.tif 000276
グループのＰＨＩＣＨリソースが含まれ、ｍiが３であり、
前記iは前記サブフレームｎ+ｋＰＨＩＣＨの番号であり、
【数２４】
2019525537.tif 000277
は、高位層シグナリングにより設定したパラメータに基づいて決定されたＰＨＩＣＨグループ数であることを特徴とする請求項２２に記載のフィードバック情報を受信する端末。
【請求項３０】
前記第１受信モジュールは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項２９に記載のフィードバック情報を受信する端末。
【請求項３１】
スペシャルサブフレームｎにおいてＰＵＳＣＨを受信する第２受信モジュールと、
サブフレームｎ+ｋＰＨＩＣＨにおいて前記ＰＵＳＣＨに対応するＰＨＩＣＨを送信し、前記ＰＨＩＣＨは、前記ＰＵＳＣＨのフィードバック情報を搬送し、ｋＰＨＩＣＨは事前に約定したまたは設定した値である、フィードバックモジュールとを備えることを特徴とするフィードバック情報を送信するネットワーク側装置。
【請求項３２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項３１に記載のフィードバック情報を送信するネットワーク側装置。
【請求項３３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、
前記サブフレームｎ+ｋＰＨＩＣＨに
【数２５】
2019525537.tif 000278
グループのＰＨＩＣＨが含まれ、ｍiは１であり、
前記iは前記サブフレームｎ+ｋＰＨＩＣＨの番号であり、
【数２６】
2019525537.tif 000279
は、高位層シグナリングにより設定したパラメータに基づいて決定されたＰＨＩＣＨグループ数であることを特徴とする請求項３２に記載のフィードバック情報を送信するネットワーク側装置。
【請求項３４】
前記フィードバックモジュールは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項３３に記載のフィードバック情報を送信するネットワーク側装置。
【請求項３５】
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数２７】
2019525537.tif 000280
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数２８】
2019525537.tif 000281
は、高位層シグナリングにより設定したパラメータに基づいて決定されたＰＨＩＣＨグループ数であることを特徴とする請求項３２に記載のフィードバック情報を送信するネットワーク側装置。
【請求項３６】
前記フィードバックモジュールは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なることを特徴とする請求項３５に記載のフィードバック情報を送信するネットワーク側装置。
【請求項３７】
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、
前記サブフレームｎ+ｋＰＨＩＣＨに
【数２９】
2019525537.tif 000282
グループのＰＨＩＣＨリソースが含まれ、ｍiは２であり、
前記iは前記サブフレームｎ+ｋＰＨＩＣＨの番号であり、
【数３０】
2019525537.tif 000283
は、高位層シグナリングにより設定したパラメータに基づいて決定されたＰＨＩＣＨグループ数であることを特徴とする請求項３２に記載のフィードバック情報を送信するネットワーク側装置。
【請求項３８】
前記フィードバックモジュールは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項３７に記載のフィードバック情報を送信するネットワーク側装置。
【請求項３９】
ＴＤＤ  ＵＬ／ＤＬ構成０の場合、サブフレームｎ+ｋＰＨＩＣＨがサブフレーム０または５であれば、
前記サブフレームｎ+ｋＰＨＩＣＨに
【数３１】
2019525537.tif 000284
グループのＰＨＩＣＨリソースが含まれ、ｍiが３であり、
前記iは前記サブフレームｎ+ｋＰＨＩＣＨの番号であり、
【数３２】
2019525537.tif 000285
は、高位層シグナリングにより設定したパラメータに基づいて決定されたＰＨＩＣＨグループ数であることを特徴とする請求項３２に記載のフィードバック情報を送信するネットワーク側装置。
【請求項４０】
前記フィードバックモジュールは、
スペシャルサブフレームｎにおいて伝送されるＰＵＳＣＨに対応するＰＨＩＣＨ=２を決定しI、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項３９に記載のフィードバック情報を送信するネットワーク側装置。
【請求項４１】
前記端末は、プロセッサと、送受信機と、メモリとを備え、
前記プロセッサは、メモリに格納されたプログラムを読み出し、受信機により、スペシャルサブフレームｎにおいてＰＵＳＣＨを送信し、送受信機により、サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値であり、
前記送受信機は、前記プロセッサの制御によりデータを送受信することを特徴とするフィードバック情報を受信する端末。
【請求項４２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項４１に記載のフィードバック情報を受信する端末。
【請求項４３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、
前記サブフレームｎ+ｋＰＨＩＣＨに
【数３３】
2019525537.tif 000286
グループのＰＨＩＣＨが含まれ、ｍiは１であり、
前記iは前記サブフレームｎ+ｋＰＨＩＣＨの番号であり、
【数３４】
2019525537.tif 000287
は、高位層シグナリングにより設定したパラメータに基づいて決定されたＰＨＩＣＨグループ数であることを特徴とする請求項４１に記載のフィードバック情報を受信する端末。
【請求項４４】
前記プロセッサは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項４３に記載のフィードバック情報を受信する端末。
【請求項４５】
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、
前記サブフレームｎ+ｋＰＨＩＣＨに
【数３５】
2019525537.tif 000288
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数３６】
2019525537.tif 000289
は、高位層シグナリングにより設定したパラメータに基づいて決定されたＰＨＩＣＨグループ数であることを特徴とする請求項４２に記載のフィードバック情報を受信する端末。
【請求項４６】
前記プロセッサは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なることを特徴とする請求項４５に記載のフィードバック情報を受信する端末。
【請求項４７】
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、
前記サブフレームｎ+ｋＰＨＩＣＨに
【数３７】
2019525537.tif 000290
グループのＰＨＩＣＨリソースが含まれ、ｍiは２であり、
前記iは前記サブフレームｎ+ｋＰＨＩＣＨの番号であり、
【数３８】
2019525537.tif 000291
は、高位層シグナリングにより設定したパラメータに基づいて決定されたＰＨＩＣＨグループ数であることを特徴とする請求項４２に記載のフィードバック情報を受信する端末。
【請求項４８】
前記プロセッサは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項４７に記載のフィードバック情報を受信する端末。
【請求項４９】
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数３９】
2019525537.tif 000292
グループのＰＨＩＣＨリソースが含まれ、ｍiが３であり、
前記iは前記サブフレームｎ+ｋＰＨＩＣＨの番号であり、
【数４０】
2019525537.tif 000293
は、高位層シグナリングにより設定したパラメータに基づいて決定されたＰＨＩＣＨグループ数であることを特徴とする請求項４２に記載のフィードバック情報を受信する端末。
【請求項５０】
前記プロセッサは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項４９に記載のフィードバック情報を受信する端末。
【請求項５１】
前記ネットワーク側装置は、プロセッサと、送受信機と、メモリとを備え、
前記プロセッサは、メモリに格納されたプログラムを読み出し、
送受信機により、スペシャルサブフレームｎにおいてＰＵＳＣＨを受信し、送受信機により、サブフレームｎ+ｋＰＨＩＣＨにおいて前記ＰＵＳＣＨに対応するＰＨＩＣＨを送信し、前記ＰＨＩＣＨは、前記ＰＵＳＣＨのフィードバック情報を搬送し、ｋＰＨＩＣＨは、事前に約定したまたは設定した値であり、
前記送受信機は、前記プロセッサの制御によりデータを送受信することを特徴とするフィードバック情報を送信するネットワーク側装置。
【請求項５２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項５１に記載のフィードバック情報を送信するネットワーク側装置。
【請求項５３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、
前記サブフレームｎ+ｋＰＨＩＣＨに
【数４１】
2019525537.tif 000294
グループのＰＨＩＣＨが含まれ、ｍiは１であり、
前記iは前記サブフレームｎ+ｋＰＨＩＣＨの番号であり、
【数４２】
2019525537.tif 000295
は、高位層シグナリングにより設定したパラメータに基づいて決定されたＰＨＩＣＨグループ数であることを特徴とする請求項５２に記載のフィードバック情報を送信するネットワーク側装置。
【請求項５４】
前記プロセッサは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項５３に記載のフィードバック情報を送信するネットワーク側装置。
【請求項５５】
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、
前記サブフレームｎ+ｋＰＨＩＣＨに
【数４３】
2019525537.tif 000296
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数４４】
2019525537.tif 000297
は、高位層シグナリングにより設定したパラメータに基づいて決定されたＰＨＩＣＨグループ数であることを特徴とする請求項５２に記載のフィードバック情報を送信するネットワーク側装置。
【請求項５６】
前記プロセッサは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、
前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なることを特徴とする請求項５５に記載のフィードバック情報を送信するネットワーク側装置。
【請求項５７】
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、
前記サブフレームｎ+ｋＰＨＩＣＨに
【数４５】
2019525537.tif 000298
グループのＰＨＩＣＨリソースが含まれ、ｍiは２であり、
前記iは前記サブフレームｎ+ｋＰＨＩＣＨの番号であり、
【数４６】
2019525537.tif 000299
は、高位層シグナリングにより設定したパラメータに基づいて決定されたＰＨＩＣＨグループ数であることを特徴とする請求項５２に記載のフィードバック情報を送信するネットワーク側装置。
【請求項５８】
前記プロセッサは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項５７に記載のフィードバック情報を送信するネットワーク側装置。
【請求項５９】
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数４７】
2019525537.tif 000300
グループのＰＨＩＣＨリソースが含まれ、且つｍiが３であり、
前記iは前記サブフレームｎ+ｋＰＨＩＣＨの番号であり、
【数４８】
2019525537.tif 000301
は、高位層シグナリングにより設定したパラメータに基づいて決定されたＰＨＩＣＨグループ数であることを特徴とする請求項５２に記載のフィードバック情報を送信するネットワーク側装置。
【請求項６０】
前記プロセッサは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項５９に記載のフィードバック情報を送信するネットワーク側装置。
【発明の詳細な説明】
【技術分野】
【０００１】
本発明は、無線通信技術分野に関し、特に、フィードバック情報を送受信する方法及び装置に関する。
【背景技術】
【０００２】
図１に示すように、従来のＬＴＥ ＴＤＤシステムは、フレーム構造タイプ２（ｆｒａｍｅ ｓｔｒｕｃｔｕｒｅ ｔｙｐｅ ２，ＦＳ２）を使用する。ＴＤＤシステムでは、アップリンク及びダウンリンク伝送は、同一周波数上で異なるサブフレームを使用するか、異なるタイムスロットを使用する。ＦＳ２の各１０ｍs無線フレームは２つの５ｍsハーフフレームで構成され、各フレームには１ｍs長さの５つのサブフレームが含まれている。FS２のサブフレームは、ダウンリンクサブフレームと、サブフレームと、スペシャルサブフレームの３種類に分類される。スペシャルサブフレームはダウンリンクパイロットタイムスロット（ＤｗＰＴＳ）とガード期間（ＧＰ）３つの部分から構成されている。表１は、FS２でサポートされている７つのアップリンクおよびダウンリンクサブフレーム構成を示す。
【０００３】
【表１】
2019525537.tif 000003
【０００４】
移動通信サービスの要求の発展に伴い、ＴＤＤスペシャルサブフレームでアップリンク伝送を実現するために、６シンボルDwPTS、２シンボルGP、６シンボルＵｐＰＴＳなどの新しいＴＤＤスペシャルサブフレーム構成が提案される。新スペシャルサブフレーム構成では、ＵｐＰＴＳの長さを長くすることで、端末がＵｐＰＴＳにおいてアップリンクの共有チャネルなどのチャネルを送信することができる。
【０００５】
しかし、従来のＬＴＥシステムでは、ＵｐＰＴＳではＰＵＳＣＨがサポートされていないため、ＵｐＰＴＳ内のＰＵＳＣＨのＡＣＫ（ＡＣＫｎｏｗｌｅｄｇｅ）/ ＮＡＣＫ（Ｎｅｇａｔｉｖｅ ＡＣＫｎｏｗｌｅｄｇｅ）フィードバック情報を送信する方法はない。
【発明の概要】
【発明が解決しようとする課題】
【０００６】
本発明はフィードバック情報を送受信する方法及び装置を提供し、ＵｐＰＴＳで送信されたＰＵＳＣＨに対するＡＣＫ/ＡＣＫ フィードバックをどのように行うかとのの問題点の解決する。
【課題を解決するための手段】
【０００７】
第１態様によれば、本発明の実施例に係るフィードバック情報を受信する方法は、端末は、スペシャルサブフレームｎにおいてＰＵＳＣＨを送信するステップと、
【０００８】
前記端末は、サブフレームｎ+ｋＰＨＩＣＨにおいて前記ＰＵＳＣＨに対応するＰＨＩＣＨを受信するステップとを備え、前記ＰＨＩＣＨは、前記ＰＵＳＣＨのフィードバック情報を搬送し、ｋＰＨＩＣＨは事前に約定したまたは設定した値である。
【０００９】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【００１０】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【００１１】
【数１】
2019525537.tif 000004
【００１２】
グループのＰＨＩＣＨが含まれ、ｍiは１であり、
前記iは前記サブフレームｎ+ｋＰＨＩＣＨの番号であり、
【００１３】
【数２】
2019525537.tif 000005
【００１４】
は、高位層シグナリングにより設定したパラメータに基づいて決定されたＰＨＩＣＨグループ数である。
【００１５】
好ましくは、前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【００１６】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【００１７】
【数３】
2019525537.tif 000006
【００１８】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【００１９】
【数４】
2019525537.tif 000007
【００２０】
は、高位層シグナリングにより設定したパラメータに基づいて決定されたＰＨＩＣＨグループ数である。
【００２１】
好ましくは、前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【００２２】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【００２３】
【数５】
2019525537.tif 000008
【００２４】
グループのＰＨＩＣＨリソースが含まれ、ｍiは２であり、
前記iは前記サブフレームｎ+ｋＰＨＩＣＨの番号であり、
【００２５】
【数６】
2019525537.tif 000009
【００２６】
は、高位層シグナリングにより設定したパラメータに基づいて決定されたＰＨＩＣＨグループ数である。
【００２７】
好ましくは、前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【００２８】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【００２９】
【数７】
2019525537.tif 000010
【００３０】
グループのＰＨＩＣＨリソースが含まれ、ｍiが３であり、
前記iは前記サブフレームｎ+ｋＰＨＩＣＨの番号であり、
【００３１】
【数８】
2019525537.tif 000011
【００３２】
は、高位層シグナリングにより設定したパラメータに基づいて決定されたＰＨＩＣＨグループ数である。
【００３３】
好ましくは、前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【００３４】
第２態様によれば、本発明の実施例に係る他の、フィードバック情報を送信する方法は、
ネットワーク側装置は、スペシャルサブフレームｎにおいてＰＵＳＣＨを受信するステップと、
前記ネットワーク側装置は、サブフレームｎ+ｋＰＨＩＣＨにおいて前記ＰＵＳＣＨに対応するＰＨＩＣＨを送信するステップとを備え、
前記ＰＨＩＣＨは、前記ＰＵＳＣＨのフィードバック情報を搬送し、ｋＰＨＩＣＨは事前に約定したまたは設定した値である。
【００３５】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【００３６】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【００３７】
【数９】
2019525537.tif 000012
【００３８】
グループのＰＨＩＣＨが含まれ、ｍiは１であり、
前記iは前記サブフレームｎ+ｋＰＨＩＣＨの番号であり、
【００３９】
【数１０】
2019525537.tif 000013
【００４０】
は、高位層シグナリングにより設定したパラメータに基づいて決定されたＰＨＩＣＨグループ数である。
【００４１】
好ましくは、前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【００４２】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【００４３】
【数１１】
2019525537.tif 000014
【００４４】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【００４５】
【数１２】
2019525537.tif 000015
【００４６】
は、高位層シグナリングにより設定したパラメータに基づいて決定されたＰＨＩＣＨグループ数である。
【００４７】
好ましくは、前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【００４８】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【００４９】
【数１３】
2019525537.tif 000016
【００５０】
グループのＰＨＩＣＨリソースが含まれ、ｍiは２であり、
前記iは前記サブフレームｎ+ｋＰＨＩＣＨの番号であり、
【００５１】
【数１４】
2019525537.tif 000017
【００５２】
は、高位層シグナリングにより設定したパラメータに基づいて決定されたＰＨＩＣＨグループ数である。
【００５３】
好ましくは、前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【００５４】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【００５５】
【数１５】
2019525537.tif 000018
【００５６】
グループのＰＨＩＣＨリソースが含まれ、ｍiが３であり、
前記iは前記サブフレームｎ+ｋＰＨＩＣＨの番号であり、
【００５７】
【数１６】
2019525537.tif 000019
【００５８】
は、高位層シグナリングにより設定したパラメータに基づいて決定されたＰＨＩＣＨグループ数である。
【００５９】
好ましくは、前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【００６０】
第３態様によれば、本発明の実施例に係る第１種のフィードバック情報を受信する端末は、
スペシャルサブフレームｎにおいてＰＵＳＣＨを送信する送信モジュールと、
サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値である第１受信モジュールとを備える。
【００６１】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【００６２】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【００６３】
【数１７】
2019525537.tif 000020
【００６４】
グループのＰＨＩＣＨが含まれ、ｍiは１であり、
前記iは前記サブフレームｎ+ｋＰＨＩＣＨの番号であり、
【００６５】
【数１８】
2019525537.tif 000021
【００６６】
は、高位層シグナリングにより設定したパラメータに基づいて決定されたＰＨＩＣＨグループ数である。
【００６７】
好ましくは、前記第１受信モジュールは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【００６８】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【００６９】
【数１９】
2019525537.tif 000022
【００７０】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【００７１】
【数２０】
2019525537.tif 000023
【００７２】
は、高位層シグナリングにより設定したパラメータに基づいて決定されたＰＨＩＣＨグループ数である。
【００７３】
好ましくは、前記第１受信モジュールは、
スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【００７４】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【００７５】
【数２１】
2019525537.tif 000024
【００７６】
グループのＰＨＩＣＨリソースが含まれ、ｍiは２であり、
前記iは前記サブフレームｎ+ｋＰＨＩＣＨの番号であり、
【００７７】
【数２２】
2019525537.tif 000025
【００７８】
は、高位層シグナリングにより設定したパラメータに基づいて決定されたＰＨＩＣＨグループ数である。
【００７９】
好ましくは、前記第１受信モジュールは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【００８０】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【００８１】
【数２３】
2019525537.tif 000026
【００８２】
グループのＰＨＩＣＨリソースが含まれ、ｍiが３であり、
前記iは前記サブフレームｎ+ｋＰＨＩＣＨの番号であり、
【００８３】
【数２４】
2019525537.tif 000027
【００８４】
は、高位層シグナリングにより設定したパラメータに基づいて決定されたＰＨＩＣＨグループ数である。
【００８５】
好ましくは、前記第１受信モジュールは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【００８６】
第４態様によれば、本発明の実施例に係る第１種のフィードバック情報を送信するネットワーク側装置は、
スペシャルサブフレームｎにおいてＰＵＳＣＨを受信する第２受信モジュールと、
サブフレームｎ+ｋＰＨＩＣＨにおいて前記ＰＵＳＣＨに対応するＰＨＩＣＨを送信し、前記ＰＨＩＣＨは、前記ＰＵＳＣＨのフィードバック情報を搬送し、ｋＰＨＩＣＨは事前に約定したまたは設定した値であるフィードバックモジュールとを備える。
【００８７】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【００８８】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【００８９】
【数２５】
2019525537.tif 000028
【００９０】
グループのＰＨＩＣＨが含まれ、ｍiは１であり、
前記iは前記サブフレームｎ+ｋＰＨＩＣＨの番号であり、
【００９１】
【数２６】
2019525537.tif 000029
【００９２】
は、高位層シグナリングにより設定したパラメータに基づいて決定されたＰＨＩＣＨグループ数である。
【００９３】
好ましくは、前記フィードバックモジュールは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【００９４】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【００９５】
【数２７】
2019525537.tif 000030
【００９６】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【００９７】
【数２８】
2019525537.tif 000031
【００９８】
は、高位層シグナリングにより設定したパラメータに基づいて決定されたＰＨＩＣＨグループ数である。
【００９９】
好ましくは、前記フィードバックモジュールは、
スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【０１００】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０１０１】
【数２９】
2019525537.tif 000032
【０１０２】
グループのＰＨＩＣＨリソースが含まれ、ｍiは２であり、
前記iは前記サブフレームｎ+ｋＰＨＩＣＨの番号であり、
【０１０３】
【数３０】
2019525537.tif 000033
【０１０４】
は、高位層シグナリングにより設定したパラメータに基づいて決定されたＰＨＩＣＨグループ数である。
【０１０５】
好ましくは、前記フィードバックモジュールは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【０１０６】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０１０７】
【数３１】
2019525537.tif 000034
【０１０８】
グループのＰＨＩＣＨリソースが含まれ、ｍiが３であり、
前記iは前記サブフレームｎ+ｋＰＨＩＣＨの番号であり、
【０１０９】
【数３２】
2019525537.tif 000035
【０１１０】
は、高位層シグナリングにより設定したパラメータに基づいて決定されたＰＨＩＣＨグループ数である。
【０１１１】
好ましくは、前記フィードバックモジュールは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【０１１２】
第５態様によれば、本発明の実施例に係る第２種のフィードバック情報を受信する端末は、プロセッサと、送受信機と、メモリとを備え、
前記プロセッサは、メモリに格納されたプログラムを読み出し、送受信機により、スペシャルサブフレームｎにおいてＰＵＳＣＨを送信し、送受信機により、サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値であり、
前記送受信機は前記プロセッサの制御によりデータを送受信する。
【０１１３】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０１１４】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０１１５】
【数３３】
2019525537.tif 000036
【０１１６】
グループのＰＨＩＣＨが含まれ、ｍiは１であり、
前記iは前記サブフレームｎ+ｋＰＨＩＣＨの番号であり、
【０１１７】
【数３４】
2019525537.tif 000037
【０１１８】
は、高位層シグナリングにより設定したパラメータに基づいて決定されたＰＨＩＣＨグループ数である。
【０１１９】
好ましくは、前記プロセッサは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータである。
【０１２０】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０１２１】
【数３５】
2019525537.tif 000038
【０１２２】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０１２３】
【数３６】
2019525537.tif 000039
【０１２４】
は、高位層シグナリングにより設定したパラメータに基づいて決定されたＰＨＩＣＨグループ数である。
【０１２５】
好ましくは、前記プロセッサは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【０１２６】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０１２７】
【数３７】
2019525537.tif 000040
【０１２８】
グループのＰＨＩＣＨリソースが含まれ、ｍiは２であり、
前記iは前記サブフレームｎ+ｋＰＨＩＣＨの番号であり、
【０１２９】
【数３８】
2019525537.tif 000041
【０１３０】
は、高位層シグナリングにより設定したパラメータに基づいて決定されたＰＨＩＣＨグループ数である。
【０１３１】
好ましくは、前記プロセッサは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータである。
【０１３２】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０１３３】
【数３９】
2019525537.tif 000042
【０１３４】
グループのＰＨＩＣＨリソースが含まれ、ｍiが３であり、
前記iは前記サブフレームｎ+ｋＰＨＩＣＨの番号であり、
【０１３５】
【数４０】
2019525537.tif 000043
【０１３６】
は、高位層シグナリングにより設定したパラメータに基づいて決定されたＰＨＩＣＨグループ数である。
【０１３７】
好ましくは、前記プロセッサは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータである。
【０１３８】
第６態様によれば、本発明の実施例に係る第２種のフィードバック情報を送信するネットワーク側装置は、プロセッサと、送受信機と、メモリとを備え、
前記プロセッサは、メモリに格納されたプログラムを読み出し、送受信機により、スペシャルサブフレームｎにおいてＰＵＳＣＨを受信し、送受信機により、サブフレームｎ+ｋＰＨＩＣＨにおいて前記ＰＵＳＣＨに対応するＰＨＩＣＨを送信し、前記ＰＨＩＣＨは、前記ＰＵＳＣＨのフィードバック情報を搬送し、ｋＰＨＩＣＨは、事前に約定したまたは設定した値であり、
前記送受信機は、前記プロセッサの制御によりデータを送受信する。
【０１３９】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０１４０】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０１４１】
【数４１】
2019525537.tif 000044
【０１４２】
グループのＰＨＩＣＨが含まれ、ｍiは１であり、
前記iは前記サブフレームｎ+ｋＰＨＩＣＨの番号であり、
【０１４３】
【数４２】
2019525537.tif 000045
【０１４４】
は、高位層シグナリングにより設定したパラメータに基づいて決定されたＰＨＩＣＨグループ数である。
【０１４５】
好ましくは、前記プロセッサは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータである。
【０１４６】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０１４７】
【数４３】
2019525537.tif 000046
【０１４８】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０１４９】
【数４４】
2019525537.tif 000047
【０１５０】
は、高位層シグナリングにより設定したパラメータに基づいて決定されたＰＨＩＣＨグループ数である。
【０１５１】
好ましくは、前記プロセッサは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【０１５２】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０１５３】
【数４５】
2019525537.tif 000048
【０１５４】
グループのＰＨＩＣＨリソースが含まれ、ｍiは２であり、
前記iは前記サブフレームｎ+ｋＰＨＩＣＨの番号であり、
【０１５５】
【数４６】
2019525537.tif 000049
【０１５６】
は、高位層シグナリングにより設定したパラメータに基づいて決定されたＰＨＩＣＨグループ数である。
【０１５７】
好ましくは、前記プロセッサは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータである。
【０１５８】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０１５９】
【数４７】
2019525537.tif 000050
【０１６０】
グループのＰＨＩＣＨリソースが含まれ、ｍiが３であり、
前記iは前記サブフレームｎ+ｋＰＨＩＣＨの番号であり、
【０１６１】
【数４８】
2019525537.tif 000051
【０１６２】
は、高位層シグナリングにより設定したパラメータに基づいて決定されたＰＨＩＣＨグループ数である。
【０１６３】
好ましくは、前記プロセッサは、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータである。
【発明の効果】
【０１６４】
本発明の実施例に係る端末は、スペシャルサブフレームｎにおいてＰＵＳＣＨを送信し、サブフレームｎ+ｋＰＨＩＣＨにおいて前記ＰＵＳＣＨに対応するＰＨＩＣＨを受信し、前記ＰＨＩＣＨは前記ＰＵＳＣＨのフィードバック情報を搬送することに用いられ、ネットワーク側装置は、スペシャルサブフレームｎにおいてＰＵＳＣＨを受信し、サブフレームｎ+ｋＰＨＩＣＨにおいて前記ＰＵＳＣＨに対応するＰＨＩＣＨを送信する。こうして、ＵｐＰＴＳにおいて伝送されるＰＵＳＣＨに対するＡＣＫ/ＮＡＣＫフィードバックを実現する。
【０１６５】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【０１６６】
【図１】は背景技術中のＬＴＥ ＴＤＤシステムフレーム構成図である。
【図２】は本発明の実施例に係るフィードバック情報を伝送するシステムの構成図である。
【図３】は本発明の実施例に係る第１種の端末の構成図である。
【図４】は本発明の実施例に係る第１種のネットワーク側装置の構成図である。
【図５】は本発明の実施例に係る第２種の端末の構成図である。
【図６】は本発明の実施例に係る第２種のネットワーク側装置の構成図である。
【図７】は本発明の実施例に係るフィードバック情報を受信する方法のフローチャートである。
【図８】は本発明の実施例に係るフィードバック情報を送信する方法のフローチャートである。
【発明を実施するための形態】
【０１６７】
本発明の実施例に係る端末は、スペシャルサブフレームｎにおいて、ＰＵＳＣＨ（Ｐｈｙｓｉｃａｌ Ｕｐｌｉｎｋ Ｓｈａｒｅｄ ＣＨａｎｎｅｌ，物理アップリンク共有チャネル）を送信し、サブフレームｎ+ｋＰＨＩＣＨにおいて、前記ＰＵＳＣＨに対応するＰＨＩＣＨ（Ｐｈｙｓｉｃａｌ ＨＡＲＱ Ｉｎｄｉｃａｔｉｏｎ Ｃｈａｎｎｅｌ，ＨＡＲＱ(Ｐｈｙｓｉｃａｌ Ｈｙｂｒｉｄ Ａｕｔｏｍａｔｉｃ Ｒｅｐｅａｔ Ｒｅｑｕｅｓｔ)指示チャネル）を受信する。前記ＰＨＩＣＨは前記ＰＵＳＣＨのフィードバック情報を搬送することに用いられ、ネットワーク側装置は、スペシャルサブフレームｎにおいてＰＵＳＣＨを受信し、サブフレームｎ+ｋＰＨＩＣＨにおいて前記ＰＵＳＣＨに対応するＰＨＩＣＨを送信する。こうして、ＵｐＰＴＳにおいて伝送されるＰＵＳＣＨに対するＡＣＫ/ＮＡＣＫフィードバックを実現する。
【０１６８】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【０１６９】
図２に示すように、本発明の実施例に係るフィードバック情報を伝送するシステムは、端末１０と、ネットワーク側装置２０とを備える。
【０１７０】
前記端末１０は、スペシャルサブフレームｎにおいてＰＵＳＣＨを送信し、サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値である。
【０１７１】
前記ネットワーク側装置２０は、スペシャルサブフレームｎにおいてＰＵＳＣＨを受信し、サブフレームｎ+ｋＰＨＩＣＨにおいて、前記ＰＵＳＣＨに対応するＰＨＩＣＨを送信する。
【０１７２】
実施では、ｋＰＨＩＣＨは遅延要件を満たす値であり、遅延要求は、ＰＵＳＣＨを受信した後、ＰＵＳＣＨ，を処理・分析してフィードバック情報を生成するのに必要な時間であり、これは一般に実現に関連する。
【０１７３】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０１７４】
上述の内容は表２を参考する。
【０１７５】
【表２】
2019525537.tif 000052
【０１７６】
異なる構成に応じて、サブフレームｎ+ｋＰＨＩＣＨに含まれるＰＨＩＣＨリソースサイズも異なり、以下それぞれを説明する。
【０１７７】
＜方式１＞ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０１７８】
【数４９】
2019525537.tif 000053
【０１７９】
グループのＰＨＩＣＨが含まれ、ｍiは１である。
【０１８０】
前記iは前記サブフレームｎ+ｋＰＨＩＣＨの番号であり、
【０１８１】
【数５０】
2019525537.tif 000054
【０１８２】
は、高位層シグナリングにより設定したパラメータに基づいて決定されたＰＨＩＣＨグループ数である。
【０１８３】
例えば、
【０１８４】
【数５１】
2019525537.tif 000055
【０１８５】
ここで、
【０１８６】
【数５２】
2019525537.tif 000056
【０１８７】
は、高位層シグナリングにより事前に設定した１つの値であり、
【０１８８】
【数５３】
2019525537.tif 000057
【０１８９】
は、ダウンリンク帯域幅であり、ＲＢを単位とする。その後の
【０１９０】
【数５４】
2019525537.tif 000058
【０１９１】
の定義もここと同様であり、繰り返して説明しない。
【０１９２】
他方では、前記ネットワーク側装置は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、決定されたＰＨＩＣＨリソースに基づき、サブフレームｎ+ｋＰＨＩＣＨにおいて前記ＰＵＳＣＨに対応するＰＨＩＣＨを送信する。
【０１９３】
前記端末は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、決定されたＰＨＩＣＨリソースに基づき、サブフレームｎ+ｋＰＨＩＣＨにおいて、前記ＰＵＳＣＨに対応するＰＨＩＣＨを受信する。
【０１９４】
前記ＩＰＨＩＣＨは、ＰＨＩＣＨリソースを決定するためのパラメータである。
【０１９５】
実施では、ネットワーク側装置及び端末は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定する場合、
まず、在当該サブフレーム内のn+ｋＰＨＩＣＨの
【０１９６】
【数５５】
2019525537.tif 000059
【０１９７】
グループのＰＨＩＣＨリソースにおける当該ＰＨＩＣＨを識別ためのリソースインデックス
【０１９８】
【数５６】
2019525537.tif 000060
【０１９９】
を決定する。そして、当該リソースインデックスに基づき、当該サブフレーム内のn+ｋＰＨＩＣＨの
【０２００】
【数５７】
2019525537.tif 000061
【０２０１】
グループのＰＨＩＣＨリソースにおいて、当該ＰＵＳＣＨに対応するＰＨＩＣＨリソースを見つける。最後、ネットワーク側装置は、ＰＨＩＣＨリソースにおいて、当該ＰＵＳＣＨのＡＣＫ/ＮＡＣＫフィードバック情報を送信し、端末は、ＰＨＩＣＨリソースにより、当該ＰＵＳＣＨのＡＣＫ/ＮＡＣＫフィードバック情報を取得する。
【０２０２】
ここで、当該サブフレーム内のn+ｋＰＨＩＣＨの
【０２０３】
【数５８】
2019525537.tif 000062
【０２０４】
グループのＰＨＩＣＨリソースにおける当該ＰＨＩＣＨを識別ためのリソースインデックス
【０２０５】
【数５９】
2019525537.tif 000063
【０２０６】
を決定する場合、下記数式で決定する。
【０２０７】
【数６０】
2019525537.tif 000064
【０２０８】
ここで、
【０２０９】
【数６１】
2019525537.tif 000065
【０２１０】
は、ＰＨＩＣＨグループの番号であり、０から
【０２１１】
【数６２】
2019525537.tif 000066
【０２１２】
までとすることができる。
【０２１３】
【数６３】
2019525537.tif 000067
【０２１４】
はＰＨＩＣＨグループ内の直交シーケンス番号である。それぞれのＰＨＩＣＨグループ内の複数のＰＨＩＣＨは、同様な伝送リソースにマッピングされ、直交シーケンスによりお互いに識別する。
【０２１５】
【数６４】
2019525537.tif 000068
【０２１６】
は、対応のＰＵＳＣＨのスケジューリング情報により示すＤＭＲＳ（Ｄｅｍｏｄｕｌａｔｉｏｎ  ｒｅｆｅｒｅｎｃｅ  Ｓｙｍｂｏｌ，復調リファレンス・シンボル）サイクリック・シフト情報に基づいて得られた値であり、表３に示す。
【０２１７】
【数６５】
2019525537.tif 000069
【０２１８】
は、直交シーケンスの長さである。
【０２１９】
【数６６】
2019525537.tif 000070
【０２２０】
は、高位層シグナリングの設定により決定された各サブフレームにおけるＰＨＩＣＨグループの数である。
【０２２１】
【数６７】
2019525537.tif 000071
【０２２２】
は、当該ＰＨＩＣＨに対応するＰＵＳＣＨの最小のＰＲＢ（Ｐｈｙｓｉｃａｌ Ｒｅｓｏｕｒｃｅ Ｂｌｏｃｋ，物理リソースブロック）Ｉｎｄｅｘ（インデックス）により決定された値である。
【０２２３】
【数６８】
2019525537.tif 000072
【０２２４】
は規格文書に約定したＴＤＤ  ＵＬ／ＤＬ構成及び/またはサブフレームに関連する値であり、例えば、ＴＤＤ  ＵＬ／ＤＬ構成０またはアップリンク・リファレンスＴＤＤ  ＵＬ／ＤＬ構成０の場合、n=４または９であれば、
【０２２５】
【数６９】
2019525537.tif 000073
【０２２６】
、他の場合
【０２２７】
【数７０】
2019525537.tif 000074
【０２２８】
。当該値は、２つのサブフレーム内のＰＵＳＣＨのフィードバック情報が同一のサブフレームにおいてＰＨＩＣＨにより伝送される場合、当該サブフレーム内のＰＨＩＣＨリソースとＰＵＳＣＨの対応関係を区分するためのものである。
【０２２９】
【表３】
2019525537.tif 000075
【０２３０】
上述方式では、ＵｐＰＴＳ内のＰＨＩＣＨリソースは、ＰＨＩＣＨリソースが含まないｌｅｇａｃｙサブフレームに等価に存在する。この時点で、ｌｅｇａｃｙ ＵＥが、ＰＨＩＣＨリソースがサブフレーム内のＵｐＰＴＳのために予約されていることを知らない場合、ｌｅｇａｃｙ ＵＥは、ＰＨＩＣＨリソースリソースが予約されていないとみなす。即ち、従来の定義に従あって、当該サブフレームにおいて、ｍi=０、ＰＨＩＣＨリソースをＰＤＣＣＨリソースとして検出し、ｌｅｇａｃｙのＰＤＣＣＨ（Ｐｈｙｓｉｃａｌ Ｄｏｗｎｌｉｎｋ Ｃｏｎｔｒｏｌ ＣＨａｎｎｅｌ，物理ダウンリンク制御チャネル）の検出を妨げることになる。本発明の実施例では、ブロードキャストまたはＲＲＣ（Ｒａｄｉｏ Ｒｅｓｏｕｒｃｅ Ｃｏｎｔｒｏｌ，無線リソース制御）シグナリングまたはダウンリンク制御シグナリングなどの方式により、スペシャルサブフレームｎのために定義されたサブフレームｎ+ｋＰＨＩＣＨに
【０２３１】
【数７１】
2019525537.tif 000076
【０２３２】
グループのＰＨＩＣＨリソースが存在することを、ｌｅｇａｃｙ ＵＥに通知し、即ち、ｍi=１である。
【０２３３】
＜方式２＞ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０２３４】
【数７２】
2019525537.tif 000077
【０２３５】
グループのＰＨＩＣＨが含まれ、ｍiは、３ＧＰＰ ＴＳ ３６.２１１プロトコルにおいて定義された値であり、即ち、表４に示す値である。
【０２３６】
【表４】
2019525537.tif 000078
【０２３７】
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０２３８】
【数７３】
2019525537.tif 000079
【０２３９】
は、高位層シグナリングにより設定したパラメータに基づいて決定されたＰＨＩＣＨグループ数である。
【０２４０】
他の一方、前記ネットワーク側装置は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、決定されたＰＨＩＣＨリソースに基づき、サブフレームｎ+ｋＰＨＩＣＨにおいて前記ＰＵＳＣＨに対応するＰＨＩＣＨを送信する。ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【０２４１】
前記端末は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、決定されたＰＨＩＣＨリソースに基づき、サブフレームｎ+ｋＰＨＩＣＨにおいて、前記ＰＵＳＣＨに対応するＰＨＩＣＨを受信する。ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【０２４２】
実施では、ネットワーク側装置及び端末は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の前記スペシャルサブフレームｎにおいて伝送されるＰＵＳＣＨに対応するＰＨＩＣＨリソースを決定する場合、
まず、在当該サブフレーム内のn+ｋＰＨＩＣＨの
【０２４３】
【数７４】
2019525537.tif 000080
【０２４４】
グループのＰＨＩＣＨリソースにおける当該ＰＨＩＣＨを識別ためのリソースインデックス
【０２４５】
【数７５】
2019525537.tif 000081
【０２４６】
を決定する。そして、当該リソースインデックスに基づき、当該サブフレーム内のn+ｋＰＨＩＣＨの
【０２４７】
【数７６】
2019525537.tif 000082
【０２４８】
グループのＰＨＩＣＨリソースにおいて、当該ＰＵＳＣＨに対応するＰＨＩＣＨリソースを見つける。最後、ネットワーク側装置は、ＰＨＩＣＨリソースにおいて、当該ＰＵＳＣＨのＡＣＫ/ＮＡＣＫフィードバック情報を送信し、端末は、ＰＨＩＣＨリソースにより、当該ＰＵＳＣＨのＡＣＫ/ＮＡＣＫフィードバック情報を取得する。
【０２４９】
ここで、当該サブフレーム内のn+ｋＰＨＩＣＨの
【０２５０】
【数７７】
2019525537.tif 000083
【０２５１】
グループのＰＨＩＣＨリソースにおける当該ＰＨＩＣＨを識別するためのリソースインデックス
【０２５２】
【数７８】
2019525537.tif 000084
【０２５３】
を決定する場合、下記の数式で決定することができる。
【０２５４】
【数７９】
2019525537.tif 000085
【０２５５】
ここで、
【０２５６】
【数８０】
2019525537.tif 000086
【０２５７】
は、ＰＨＩＣＨグループの番号であり、０から
【０２５８】
【数８１】
2019525537.tif 000087
【０２５９】
まで可能である。
【０２６０】
【数８２】
2019525537.tif 000088
【０２６１】
はＰＨＩＣＨグループ内の直交シーケンス番号である。それぞれのＰＨＩＣＨグループ内の複数のＰＨＩＣＨは、同様な伝送リソースにマッピングされ、直交シーケンスによりお互いに識別する。
【０２６２】
【数８３】
2019525537.tif 000089
【０２６３】
は、対応のＰＵＳＣＨのスケジューリング情報により示すＤＭＲＳサイクリック・シフト情報に基づいて得られた値であり、表３に示すとおりである。
【０２６４】
【数８４】
2019525537.tif 000090
【０２６５】
は、直交シーケンスの長さである。
【０２６６】
【数８５】
2019525537.tif 000091
【０２６７】
は、高位層シグナリングの設定により決定された各サブフレームにおけるＰＨＩＣＨグループの数である。
【０２６８】
【数８６】
2019525537.tif 000092
【０２６９】
は、当該ＰＨＩＣＨに対応するＰＵＳＣＨの最小のＰＲＢ ｉｎｄｅｘに基づいて決定された値である。
【０２７０】
【数８７】
2019525537.tif 000093
【０２７１】
は規格文書に約定したＴＤＤ  ＵＬ／ＤＬ構成及び/またはサブフレームに関連する値であり、例えば、ＴＤＤ  ＵＬ／ＤＬ構成０またはアップリンク・リファレンスＴＤＤ  ＵＬ／ＤＬ構成０の場合、n=４または９であれば、
【０２７２】
【数８８】
2019525537.tif 000094
【０２７３】
であり、他の場合、
【０２７４】
【数８９】
2019525537.tif 000095
【０２７５】
であり、当該値は、２つのサブフレーム内のＰＵＳＣＨのフィードバック情報が同一のサブフレームにおいてＰＨＩＣＨにより伝送される場合、当該サブフレーム内のＰＨＩＣＨリソースとＰＵＳＣＨの対応関係を区分するためのものである。
【０２７６】
ここで、当該サブフレームｎ+ｋＰＨＩＣＨ内のｍi=１であれば、スペシャルサブフレームｎにおいて伝送されるＰＵＳＣＨに対応するＩＰＨＩＣＨ値=０とすることを約定する。当該サブフレームｎ+ｋＰＨＩＣＨ内のｍi=２であれば、スペシャルサブフレームｎにおいて伝送されるＰＵＳＣＨに対応するＩＰＨＩＣＨ=０とすることを約定するか、または、ＩＰＨＩＣＨ =１とすることを約定する。
【０２７７】
<方式３>ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０２７８】
【数９０】
2019525537.tif 000096
【０２７９】
グループのＰＨＩＣＨリソースが含まれ、ｍiは２である。
【０２８０】
前記iは前記サブフレームｎ+ｋＰＨＩＣＨの番号であり、
【０２８１】
【数９１】
2019525537.tif 000097
【０２８２】
は、高位層シグナリングにより設定したパラメータに基づいて決定されたＰＨＩＣＨグループ数である。
【０２８３】
他方、前記ネットワーク側装置は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、決定されたＰＨＩＣＨリソースに基づき、サブフレームｎ+ｋＰＨＩＣＨにおいて、前記ＰＵＳＣＨに対応するＰＨＩＣＨを送信する。
【０２８４】
前記端末は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、決定されたＰＨＩＣＨリソースに基づき、サブフレームｎ+ｋＰＨＩＣＨにおいて、前記ＰＵＳＣＨに対応するＰＨＩＣＨを受信する。
【０２８５】
前記ＩＰＨＩＣＨは、ＰＨＩＣＨリソースを決定するためのパラメータである。
【０２８６】
ｍi=２の場合、ＵｐＰＴＳまたはスペシャルサブフレーム（構成０/１/２/６の場合、サブフレームｎ=１または６であり、構成３/４/５の場合、サブフレームｎ=１である）において伝送されるＰＵＳＣＨが
【０２８７】
【数９２】
2019525537.tif 000098
【０２８８】
のＰＨＩＣＨリソースに対応することを定義する。構成１~６または構成０の場合、サブフレーム４/９以外のサブフレームにおいて伝送されるＰＵＳＣＨは、ノーマルサブフレームにおいて伝送されるＰＵＳＣＨが
【０２８９】
【数９３】
2019525537.tif 000099
【０２９０】
のＰＨＩＣＨリソースに対応する。構成０の場合、サブフレーム４または９において伝送されるＰＵＳＣＨも
【０２９１】
【数９４】
2019525537.tif 000100
【０２９２】
のＰＨＩＣＨリソースに対応するが、上述のようなスペシャルサブフレームに対応するＰＨＩＣＨの定義により、スペシャルサブフレームに対応するサブフレームｎ+ｋＰＨＩＣＨがサブフレーム４、９と異なることが確保でき、すなわち、サブフレーム４または９におけるＰＵＳＣＨがＵｐＰＴＳ内のＰＵＳＣＨと同一のサブフレームにおい手ＰＨＩＣＨを検出しないため、サブフレーム４、９及びスペシャルサブフレームにおけるＰＵＳＣＨが全部
【０２９３】
【数９５】
2019525537.tif 000101
【０２９４】
に対応しても、各自のＰＨＩＣＨを識別することができる。異なるサブフレームにおいてＰＨＩＣＨを検出することにより識別することができる。
【０２９５】
実施では、ネットワーク側装置及び端末は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定する場合、
まず、当該サブフレーム内のn+ｋＰＨＩＣＨの
【０２９６】
【数９６】
2019525537.tif 000102
【０２９７】
グループのＰＨＩＣＨリソースにおける当該ＰＨＩＣＨを識別ためのリソースインデックス
【０２９８】
【数９７】
2019525537.tif 000103
【０２９９】
を決定する。そして、当該リソースインデックスに基づき、当該サブフレーム内のn+ｋＰＨＩＣＨの
【０３００】
【数９８】
2019525537.tif 000104
【０３０１】
グループのＰＨＩＣＨリソースにおいて、当該ＰＵＳＣＨに対応するＰＨＩＣＨリソースを見つける。最後、ネットワーク側装置は、ＰＨＩＣＨリソースにおいて、当該ＰＵＳＣＨのＡＣＫ/ＮＡＣＫフィードバック情報を送信し、端末は、ＰＨＩＣＨリソースにより、当該ＰＵＳＣＨのＡＣＫ/ＮＡＣＫフィードバック情報を取得する。
【０３０２】
当該サブフレーム内のn+ｋＰＨＩＣＨの
【０３０３】
【数９９】
2019525537.tif 000105
【０３０４】
グループのＰＨＩＣＨリソースにおける当該ＰＨＩＣＨを識別するためのリソースインデックス
【０３０５】
【数１００】
2019525537.tif 000106
【０３０６】
を決定する場合、下記の数式で決定することができる。
【０３０７】
【数１０１】
2019525537.tif 000107
【０３０８】
ここで、
【０３０９】
【数１０２】
2019525537.tif 000108
【０３１０】
はＰＨＩＣＨグループの番号である。
【０３１１】
【数１０３】
2019525537.tif 000109
【０３１２】
はＰＨＩＣＨグループ内の直交シーケンス番号である。
【０３１３】
【数１０４】
2019525537.tif 000110
【０３１４】
は、対応のＰＵＳＣＨのスケジューリング情報により示すＤＭＲＳサイクリック・シフト情報に基づいて得られた値であり、表３に示すとおりである。
【０３１５】
【数１０５】
2019525537.tif 000111
【０３１６】
は、直交シーケンスの長さである。
【０３１７】
【数１０６】
2019525537.tif 000112
【０３１８】
は、高位層シグナリングの設定により決定された各サブフレームにおけるＰＨＩＣＨグループの数である。
【０３１９】
【数１０７】
2019525537.tif 000113
【０３２０】
は、当該ＰＨＩＣＨに対応するＰＵＳＣＨの最小のＰＲＢ ｉｎｄｅｘに基づいて決定された値である。
【０３２１】
【数１０８】
2019525537.tif 000114
【０３２２】
は規格文書に約定したＴＤＤ  ＵＬ／ＤＬ構成及び/またはサブフレームに関連する値であり、例えば、ＴＤＤ  ＵＬ／ＤＬ構成０またはアップリンク・リファレンスＴＤＤ  ＵＬ／ＤＬ構成０の場合、n=４または９である場合、
【０３２３】
【数１０９】
2019525537.tif 000115
【０３２４】
である。ＴＤＤ  ＵＬ／ＤＬ構成０~６内のスペシャルサブフレームの場合、
【０３２５】
【数１１０】
2019525537.tif 000116
【０３２６】
であり、他の場合、
【０３２７】
【数１１１】
2019525537.tif 000117
【０３２８】
である。当該値は、２つのサブフレームにおけるＰＵＳＣＨのフィードバック情報が同一のサブフレームにおいてＰＨＩＣＨチャネルで伝送される場合、当該サブフレームないのＰＨＩＣＨリソースとＰＵＳＣＨの対応関係を識別するためのものである。
【０３２９】
<方式４>ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０３３０】
【数１１２】
2019525537.tif 000118
【０３３１】
グループのＰＨＩＣＨリソースが含まれ、ｍiが３である。
【０３３２】
前記iは前記サブフレームｎ+ｋＰＨＩＣＨの番号であり、
【０３３３】
【数１１３】
2019525537.tif 000119
【０３３４】
は、高位層シグナリングにより設定したパラメータに基づいて決定されたＰＨＩＣＨグループ数である。
【０３３５】
他の一方、前記端末は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、決定されたＰＨＩＣＨリソースに基づき、サブフレームｎ+ｋＰＨＩＣＨにおいて前記ＰＵＳＣＨに対応するＰＨＩＣＨを受信する。
【０３３６】
前記ネットワーク側装置は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、決定されたＰＨＩＣＨリソースに基づき、サブフレームｎ+ｋＰＨＩＣＨにおいて前記ＰＵＳＣＨに対応するＰＨＩＣＨを送信する。
【０３３７】
前記ＩＰＨＩＣＨは、ＰＨＩＣＨリソースを決定するためのパラメータである。
【０３３８】
ｍi=３の場合、ＴＤＤ  ＵＬ／ＤＬ構成０では、ＵｐＰＴＳまたはスペシャルサブフレームｎ=１または６において伝送されるＰＵＳＣＨが
【０３３９】
【数１１４】
2019525537.tif 000120
【０３４０】
のＰＨＩＣＨリソースに対応することを定義する。サブフレーム４または９において伝送されるＰＵＳＣＨが
【０３４１】
【数１１５】
2019525537.tif 000121
【０３４２】
のＰＨＩＣＨリソースに対応することを定義する。他のサブフレームにおいて伝送されるＰＵＳＣＨが
【０３４３】
【数１１６】
2019525537.tif 000122
【０３４４】
のＰＨＩＣＨリソースに対応することを定義する。
【０３４５】
実施では、ネットワーク側装置及び端末は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定する場合、
まず、当該サブフレーム内のn+ｋＰＨＩＣＨの
【０３４６】
【数１１７】
2019525537.tif 000123
【０３４７】
グループのＰＨＩＣＨリソースにおける当該ＰＨＩＣＨを識別ためのリソースインデックス
【０３４８】
【数１１８】
2019525537.tif 000124
【０３４９】
を決定する。そして、当該リソースインデックスに基づき、当該サブフレーム内のn+ｋＰＨＩＣＨの
【０３５０】
【数１１９】
2019525537.tif 000125
【０３５１】
グループのＰＨＩＣＨリソースにおいて、当該ＰＵＳＣＨに対応するＰＨＩＣＨリソースを見つける。最後、ネットワーク側装置は、ＰＨＩＣＨリソースにおいて、当該ＰＵＳＣＨのＡＣＫ/ＮＡＣＫフィードバック情報を送信し、端末は、ＰＨＩＣＨリソースにより、当該ＰＵＳＣＨのＡＣＫ/ＮＡＣＫフィードバック情報を取得する。
【０３５２】
当該サブフレーム内のn+ｋＰＨＩＣＨの
【０３５３】
【数１２０】
2019525537.tif 000126
【０３５４】
グループのＰＨＩＣＨリソースにおける当該ＰＨＩＣＨを識別するためのリソースインデックス
【０３５５】
【数１２１】
2019525537.tif 000127
【０３５６】
を決定する場合、下記の数式で決定することができる。
【０３５７】
【数１２２】
2019525537.tif 000128
【０３５８】
ここで、
【０３５９】
【数１２３】
2019525537.tif 000129
【０３６０】
はＰＨＩＣＨグループの番号である。
【０３６１】
【数１２４】
2019525537.tif 000130
【０３６２】
はＰＨＩＣＨグループ内の直交シーケンス番号である。
【０３６３】
【数１２５】
2019525537.tif 000131
【０３６４】
は、対応のＰＵＳＣＨのスケジューリング情報により示すＤＭＲＳサイクリック・シフト情報に基づいて得られた値であり、表３に示すとおりである。
【０３６５】
【数１２６】
2019525537.tif 000132
【０３６６】
は、直交シーケンスの長さである。
【０３６７】
【数１２７】
2019525537.tif 000133
【０３６８】
は、高位層シグナリングの設定により決定された各サブフレームにおけるＰＨＩＣＨグループの数である。
【０３６９】
【数１２８】
2019525537.tif 000134
【０３７０】
は、当該ＰＨＩＣＨに対応するＰＵＳＣＨの最小のＰＲＢ ｉｎｄｅｘに基づいて決定された値である。
【０３７１】
【数１２９】
2019525537.tif 000135
【０３７２】
は規格文書に約定したＴＤＤ  ＵＬ／ＤＬ構成及び/またはサブフレームに関連する値であり、例えば、ＴＤＤ  ＵＬ／ＤＬ構成０またはアップリンク・リファレンスＴＤＤ  ＵＬ／ＤＬ構成０の場合、n=１または４または６または９であれば、
【０３７３】
【数１３０】
2019525537.tif 000136
【０３７４】
であり、他の場合、
【０３７５】
【数１３１】
2019525537.tif 000137
【０３７６】
である。当該値は、２つのサブフレームにおけるＰＵＳＣＨのフィードバック情報が同一のサブフレームにおいてＰＨＩＣＨチャネルで伝送される場合、当該サブフレームないのＰＨＩＣＨリソースとＰＵＳＣＨの対応関係を識別するためのものである。
【０３７７】
図３に示すように、本発明の実施例に係る第１種の端末は、送信モジュール３００と、第１受信モジュール３０１とを備える。
【０３７８】
前記送信モジュール３００は、スペシャルサブフレームｎにおいてＰＵＳＣＨを送信する。
【０３７９】
前記第１受信モジュール３０１は、サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値である。
【０３８０】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０３８１】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０３８２】
【数１３２】
2019525537.tif 000138
【０３８３】
グループのＰＨＩＣＨが含まれ、ｍiは１である。
【０３８４】
前記iは前記サブフレームｎ+ｋＰＨＩＣＨの番号であり、
【０３８５】
【数１３３】
2019525537.tif 000139
【０３８６】
は、高位層シグナリングにより設定したパラメータに基づいて決定されたＰＨＩＣＨグループ数である。
【０３８７】
好ましくは、前記第１受信モジュール３０１は、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信する。
【０３８８】
前記ＩＰＨＩＣＨは、ＰＨＩＣＨリソースを決定するためのパラメータである。
【０３８９】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０３９０】
【数１３４】
2019525537.tif 000140
【０３９１】
グループのＰＨＩＣＨが含まれ、ｍiは、３ＧＰＰ ＴＳ ３６.２１１プロトコルにおいて定義された値である。
【０３９２】
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０３９３】
【数１３５】
2019525537.tif 000141
【０３９４】
は、高位層シグナリングにより設定したパラメータに基づいて決定されたＰＨＩＣＨグループ数である。
【０３９５】
好ましくは、前記第１受信モジュール３０１は、
スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信する。
【０３９６】
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【０３９７】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０３９８】
【数１３６】
2019525537.tif 000142
【０３９９】
グループのＰＨＩＣＨリソースが含まれ、ｍiは２であり、
前記iは前記サブフレームｎ+ｋＰＨＩＣＨの番号であり、
【０４００】
【数１３７】
2019525537.tif 000143
【０４０１】
は、高位層シグナリングにより設定したパラメータに基づいて決定されたＰＨＩＣＨグループ数である。
【０４０２】
好ましくは、前記第１受信モジュール３０１は、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信する。
【０４０３】
前記ＩＰＨＩＣＨは、ＰＨＩＣＨリソースを決定するためのパラメータである。
【０４０４】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０４０５】
【数１３８】
2019525537.tif 000144
【０４０６】
グループのＰＨＩＣＨリソースが含まれ、ｍiが３である。
【０４０７】
前記iは前記サブフレームｎ+ｋＰＨＩＣＨの番号であり、
【０４０８】
【数１３９】
2019525537.tif 000145
【０４０９】
は、高位層シグナリングにより設定したパラメータに基づいて決定されたＰＨＩＣＨグループ数である。
【０４１０】
好ましくは、前記第１受信モジュール３０１は、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【０４１１】
図４に示すように、本発明の実施例に係る第１種のネットワーク側装置は、第２受信モジュール４００と、フィードバックモジュール４０１とを備える。
【０４１２】
前記第２受信モジュール４００は、スペシャルサブフレームｎにおいてＰＵＳＣＨを受信する。
【０４１３】
前記フィードバックモジュール４０１は、サブフレームｎ+ｋＰＨＩＣＨにおいて前記ＰＵＳＣＨに対応するＰＨＩＣＨを送信し、前記ＰＨＩＣＨは、前記ＰＵＳＣＨのフィードバック情報を搬送する。前記ｋＰＨＩＣＨは事前に約定したまたは設定した値である。
【０４１４】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つである。
【０４１５】
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０４１６】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０４１７】
【数１４０】
2019525537.tif 000146
【０４１８】
グループのＰＨＩＣＨが含まれ、ｍiは１である。
【０４１９】
前記iは前記サブフレームｎ+ｋＰＨＩＣＨの番号であり、
【０４２０】
【数１４１】
2019525537.tif 000147
【０４２１】
は、高位層シグナリングにより設定したパラメータに基づいて決定されたＰＨＩＣＨグループ数である。
【０４２２】
好ましくは、前記フィードバックモジュール４０１は、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信する。
【０４２３】
前記ＩＰＨＩＣＨは、ＰＨＩＣＨリソースを決定するためのパラメータである。
【０４２４】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０４２５】
【数１４２】
2019525537.tif 000148
【０４２６】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０４２７】
【数１４３】
2019525537.tif 000149
【０４２８】
は、高位層シグナリングにより設定したパラメータに基づいて決定されたＰＨＩＣＨグループ数である。
【０４２９】
好ましくは、前記フィードバックモジュール４０１は、
スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信する。
【０４３０】
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【０４３１】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０４３２】
【数１４４】
2019525537.tif 000150
【０４３３】
グループのＰＨＩＣＨリソースが含まれ、ｍiは２である。
【０４３４】
前記iは前記サブフレームｎ+ｋＰＨＩＣＨの番号であり、
【０４３５】
【数１４５】
2019525537.tif 000151
【０４３６】
は、高位層シグナリングにより設定したパラメータに基づいて決定されたＰＨＩＣＨグループ数である。
【０４３７】
好ましくは、前記フィードバックモジュール４０１は、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信する。
【０４３８】
前記ＩＰＨＩＣＨは、ＰＨＩＣＨリソースを決定するためのパラメータである。
【０４３９】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０４４０】
【数１４６】
2019525537.tif 000152
【０４４１】
グループのＰＨＩＣＨリソースが含まれ、ｍiが３である。
【０４４２】
前記iは前記サブフレームｎ+ｋＰＨＩＣＨの番号であり、
【０４４３】
【数１４７】
2019525537.tif 000153
【０４４４】
は、高位層シグナリングにより設定したパラメータに基づいて決定されたＰＨＩＣＨグループ数である。
【０４４５】
好ましくは、前記フィードバックモジュール４０１は、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【０４４６】
図５に示すように、本発明の実施例に係る第２種の端末は、プロセッサ５０１と、送受信機５０２とを備える。
【０４４７】
前記プロセッサ５０１は、メモリ５０４に格納されたプログラム読み出し、送受信機５０２により、スペシャルサブフレームｎにおいてＰＵＳＣＨを送信し、送受信機５０２により、サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値である。
【０４４８】
前記送受信機５０２は、プロセッサ５０１の制御によりデータを送受信する。
【０４４９】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つである。
【０４５０】
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０４５１】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０４５２】
【数１４８】
2019525537.tif 000154
【０４５３】
グループのＰＨＩＣＨが含まれ、ｍiは１であり、
前記iは前記サブフレームｎ+ｋＰＨＩＣＨの番号であり、
【０４５４】
【数１４９】
2019525537.tif 000155
【０４５５】
は、高位層シグナリングにより設定したパラメータに基づいて決定されたＰＨＩＣＨグループ数である。
【０４５６】
好ましくは、前記プロセッサ５０１は、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【０４５７】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０４５８】
【数１５０】
2019525537.tif 000156
【０４５９】
グループのＰＨＩＣＨが含まれ、ｍiは、３ＧＰＰ ＴＳ ３６.２１１プロトコルにおいて定義された値である。
【０４６０】
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０４６１】
【数１５１】
2019525537.tif 000157
【０４６２】
は、高位層シグナリングにより設定したパラメータに基づいて決定されたＰＨＩＣＨグループ数である。
【０４６３】
好ましくは、前記プロセッサ５０１は、
スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信する。
【０４６４】
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なる。及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【０４６５】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０４６６】
【数１５２】
2019525537.tif 000158
【０４６７】
グループのＰＨＩＣＨリソースが含まれ、ｍiは２であり、
前記iは前記サブフレームｎ+ｋＰＨＩＣＨの番号であり、
【０４６８】
【数１５３】
2019525537.tif 000159
【０４６９】
は、高位層シグナリングにより設定したパラメータに基づいて決定されたＰＨＩＣＨグループ数である。
【０４７０】
好ましくは、前記プロセッサ５０１は、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信する。
【０４７１】
前記ＩＰＨＩＣＨは、ＰＨＩＣＨリソースを決定するためのパラメータである。
【０４７２】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０４７３】
【数１５４】
2019525537.tif 000160
【０４７４】
グループのＰＨＩＣＨリソースが含まれ、ｍiが３である。
【０４７５】
前記iは前記サブフレームｎ+ｋＰＨＩＣＨの番号であり、
【０４７６】
【数１５５】
2019525537.tif 000161
【０４７７】
は、高位層シグナリングにより設定したパラメータに基づいて決定されたＰＨＩＣＨグループ数である。
【０４７８】
好ましくは、前記プロセッサ５０１は、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、ＰＨＩＣＨリソースを決定するためのパラメータである。
【０４７９】
図５において、バスアーキテクチャ（バス５００で代表）、バス５００は、いずれ数の相互接続するバス及びブリッジを備える。バス５００は汎用プロセッサ５０１が代表となる１つまたは複数のプロセッサ及びメモリ５０４が代表となるメモリの多様な回路により接続される。バス５００は、外部設備、電圧レギュレーター及び電力管理回路等の他の回路を接続することもできる。これらは、当該分野の周知技術であるため、本発明において、詳細に説明しない。バスインターフェース５０３は、バス５００と送受信機５０２の間にインターフェースを提供する。送受信機５０２は、複数の部品であることができ、即ち、送信機及び受信機を備え、伝送媒体を介して他の装置と通信するユニットを提供する。例えば、送受信機５０２は、他の装置から外部データを受信する。送受信機５０２は、プロセッサ５０１により処理されたデータを他の装置に送信する。計算システムの機能に応じて、ユーザーインターフェース５０５（例えば、キーパッド、ディスプレー、スピーカー、マイクロホン、ジョイスティック）がさらに提供されることができる。
【０４８０】
プロセッサ５０１は、前記運行汎用操作システムのように、バス５００の通常処理を担当する。メモリ５０４は、プロセッサ５０１が動作する際に利用するデータを記憶することができる。
【０４８１】
好ましくは、プロセッサ５０１は、ＣＰU、ASIC（Application Specific Integrated Circuit）、FPGA（Field−Prograｍｍable Gate Array）またはＣＰLD（Coｍplex Prograｍｍable Logic Device）であることができる。
【０４８２】
図６に示すように本発明の実施例に係る第２種のネットワーク側装置は、プロセッサ６０１と、送受信機６０２とを備える。
【０４８３】
前記プロセッサ６０１は、メモリ６０４に格納されたプログラム読み出し、送受信機６０２により、スペシャルサブフレームｎにおいてＰＵＳＣＨを受信し、送受信機６０２により、サブフレームｎ+ｋＰＨＩＣＨにおいて前記ＰＵＳＣＨに対応するＰＨＩＣＨを送信する。前記ＰＨＩＣＨは、前記ＰＵＳＣＨのフィードバック情報を搬送し、ｋＰＨＩＣＨは事前に約定したまたは設定した値である。
【０４８４】
前記送受信機６０２は、プロセッサ６０１の制御によりデータを送受信する。
【０４８５】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０４８６】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０４８７】
【数１５６】
2019525537.tif 000162
【０４８８】
グループのＰＨＩＣＨが含まれ、ｍiは１である。
【０４８９】
前記iは前記サブフレームｎ+ｋＰＨＩＣＨの番号であり、
【０４９０】
【数１５７】
2019525537.tif 000163
【０４９１】
は、高位層シグナリングにより設定したパラメータに基づいて決定されたＰＨＩＣＨグループ数である。
【０４９２】
好ましくは、前記プロセッサ６０１は、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信する。
【０４９３】
前記ＩＰＨＩＣＨは、ＰＨＩＣＨリソースを決定するためのパラメータである。
【０４９４】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０４９５】
【数１５８】
2019525537.tif 000164
【０４９６】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０４９７】
【数１５９】
2019525537.tif 000165
【０４９８】
は、高位層シグナリングにより設定したパラメータに基づいて決定されたＰＨＩＣＨグループ数である。
【０４９９】
好ましくは、前記プロセッサ６０１は、
スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信する。
【０５００】
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【０５０１】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０５０２】
【数１６０】
2019525537.tif 000166
【０５０３】
グループのＰＨＩＣＨリソースが含まれ、ｍiは２である。
【０５０４】
前記iは前記サブフレームｎ+ｋＰＨＩＣＨの番号であり、
【０５０５】
【数１６１】
2019525537.tif 000167
【０５０６】
は、高位層シグナリングにより設定したパラメータに基づいて決定されたＰＨＩＣＨグループ数である。
【０５０７】
好ましくは、前記フィードバックモジュール４０１は、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、ＰＨＩＣＨリソースを決定するためのパラメータである。
【０５０８】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０５０９】
【数１６２】
2019525537.tif 000168
【０５１０】
グループのＰＨＩＣＨリソースが含まれ、ｍiが３である。
【０５１１】
前記iは前記サブフレームｎ+ｋＰＨＩＣＨの番号であり、
【０５１２】
【数１６３】
2019525537.tif 000169
【０５１３】
は、高位層シグナリングにより設定したパラメータに基づいて決定されたＰＨＩＣＨグループ数である。
【０５１４】
好ましくは、プロセッサ６０１は、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信する。
【０５１５】
前記ＩＰＨＩＣＨは、ＰＨＩＣＨリソースを決定するためのパラメータである。
【０５１６】
図６において、バスアーキテクチャ（例えばバス６００）の場合、バス６００は、いずれ数の相互接続するバス及びブリッジを備える。バス６００は、プロセッサ６０１が代表となる１つまたは複数のプロセッサ及びメモリ６０４が代表となるメモリの多様な回路により接続される。バス６００は、外部設備、電圧レギュレーター及び電力管理回路等の他の回路を接続することもできる。これらは、当該分野の周知技術であるため、本発明において、詳細に説明しない。バスインターフェース６０３は、バス６００と送受信機６０２の間にインターフェースを提供する。送受信機６０２は、複数の部品であることができ、即ち、送信機及び受信機を備え、伝送媒体を介して他の装置と通信するユニットを提供する。プロセッサ６０１によって処理されたデータは、アンテナ６０５を介して、無線媒体上で伝送される。また、アンテナ６０５は、データを受信して、プロセッサ６０１に送信する。
【０５１７】
プロセッサ６０１は、バス６００を管理し、通常の処理を行い、また、タイミング、周囲インターフェース、電圧調節、電源管理及び他の制御機能を提供する。メモリ６０４は、プロセッサ６０１が動作する際に利用するデータを記憶することができる。
【０５１８】
好ましくは、プロセッサ６０１は、ＣＰＵ、ＡＳＩＣ、ＦＰＧＡまたはＣＰＬＤであることができる。
【０５１９】
同様な発明思想に基づき、本発明に係る実施例は、フィードバック情報を受信する方法をさらに提供する。当該方法の課題解決原理が本発明の実施例に係るフィードバック情報を伝送するシステムにおける端末と類似するため、当該方法の実施は、本発明の実施例に係るフィードバック情報を伝送するシステムにおける端末の実施を参考することができ、繰り返して説明しない。
【０５２０】
図７に示すように、本発明の実施例に係るフィードバック情報を受信する方法は、
端末は、スペシャルサブフレームｎにおいてＰＵＳＣＨを送信するステップ７００と、
前記端末は、サブフレームｎ+ｋＰＨＩＣＨにおいて前記ＰＵＳＣＨに対応するＰＨＩＣＨを受信するステップ７０１とを備える。
【０５２１】
前記ＰＨＩＣＨは、前記ＰＵＳＣＨのフィードバック情報を搬送し、ｋＰＨＩＣＨは事前に約定したまたは設定した値である。
【０５２２】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つである。
【０５２３】
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０５２４】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０５２５】
【数１６４】
2019525537.tif 000170
【０５２６】
グループのＰＨＩＣＨが含まれ、ｍiは１である。
【０５２７】
前記iは前記サブフレームｎ+ｋＰＨＩＣＨの番号であり、
【０５２８】
【数１６５】
2019525537.tif 000171
【０５２９】
は、高位層シグナリングにより設定したパラメータに基づいて決定されたＰＨＩＣＨグループ数である。
【０５３０】
好ましくは、前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信する。
【０５３１】
前記ＩＰＨＩＣＨは、ＰＨＩＣＨリソースを決定するためのパラメータである。
【０５３２】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０５３３】
【数１６６】
2019525537.tif 000172
【０５３４】
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０５３５】
【数１６７】
2019525537.tif 000173
【０５３６】
は、高位層シグナリングにより設定したパラメータに基づいて決定されたＰＨＩＣＨグループ数である。
【０５３７】
好ましくは、前記端末は、サブフレームｎ+ｋＰＨＩＣＨにおいて前記ＰＵＳＣＨに対応するＰＨＩＣＨを受信するには、
前記端末は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信する。
【０５３８】
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なる。
【０５３９】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０５４０】
【数１６８】
2019525537.tif 000174
【０５４１】
グループのＰＨＩＣＨリソースが含まれ、ｍiは２である。
【０５４２】
前記iは前記サブフレームｎ+ｋＰＨＩＣＨの番号であり、
【０５４３】
【数１６９】
2019525537.tif 000175
【０５４４】
は、高位層シグナリングにより設定したパラメータに基づいて決定されたＰＨＩＣＨグループ数である。
【０５４５】
好ましくは、前記端末は、サブフレームｎ+ｋＰＨＩＣＨにおいて前記ＰＵＳＣＨに対応するＰＨＩＣＨを受信するには、
前記端末は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信する。
【０５４６】
前記ＩＰＨＩＣＨは、ＰＨＩＣＨリソースを決定するためのパラメータである。
【０５４７】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０５４８】
【数１７０】
2019525537.tif 000176
【０５４９】
グループのＰＨＩＣＨリソースが含まれ、ｍiが３である。
【０５５０】
前記iは前記サブフレームｎ+ｋＰＨＩＣＨの番号であり、
【０５５１】
【数１７１】
2019525537.tif 000177
【０５５２】
は、高位層シグナリングにより設定したパラメータに基づいて決定されたＰＨＩＣＨグループ数である。
【０５５３】
好ましくは、前記端末は、サブフレームｎ+ｋＰＨＩＣＨにおいて前記ＰＵＳＣＨに対応するＰＨＩＣＨを受信するには、
前記端末は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信する。
【０５５４】
前記ＩＰＨＩＣＨは、ＰＨＩＣＨリソースを決定するためのパラメータである。
【０５５５】
同様な発明思想に基づき、本発明に係る実施例は、フィードバック情報を送信する方法をさらに提供する。当該方法の課題解決原理が、本発明の実施例に係るフィードバック情報を伝送するシステムにおけるネットワーク側装置と類似するため、当該方法の実施は本発明の実施例に係るフィードバック情報を伝送するシステムにおけるネットワーク側装置の実施を参考することができ、繰り返して説明しない。
【０５５６】
図８に示すように、本発明の実施例に係るフィードバック情報を送信する方法は、
ネットワーク側装置は、スペシャルサブフレームｎにおいてＰＵＳＣＨを受信するステップ８００と、
前記ネットワーク側装置は、サブフレームｎ+ｋＰＨＩＣＨにおいて前記ＰＵＳＣＨに対応するＰＨＩＣＨを送信するステップ８０１とを備える。
【０５５７】
前記ＰＨＩＣＨは、前記ＰＵＳＣＨのフィードバック情報を搬送し、ｋＰＨＩＣＨは事前に約定したまたは設定した値である。
【０５５８】
好ましくは、ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つである。
【０５５９】
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成である。
【０５６０】
好ましくは、ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【０５６１】
【数１７２】
2019525537.tif 000178
【０５６２】
グループのＰＨＩＣＨが含まれ、ｍiは１である。
【０５６３】
前記iは前記サブフレームｎ+ｋＰＨＩＣＨの番号であり、
【０５６４】
【数１７３】
2019525537.tif 000179
【０５６５】
は、高位層シグナリングにより設定したパラメータに基づいて決定されたＰＨＩＣＨグループ数である。
【０５６６】
好ましくは、前記ネットワーク側装置がサブフレームｎ+ｋＰＨＩＣＨにおいて前記ＰＵＳＣＨに対応するＰＨＩＣＨを送信するには、
前記ネットワーク側装置は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信する。
【０５６７】
前記ＩＰＨＩＣＨは、ＰＨＩＣＨリソースを決定するためのパラメータである。
【０５６８】
好ましくは、ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【０５６９】
【数１７４】
2019525537.tif 000180
【０５７０】
グループのＰＨＩＣＨが含まれ、ｍiは、３ＧＰＰ ＴＳ ３６.２１１プロトコルにおいて定義された値である。
【０５７１】
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【０５７２】
【数１７５】
2019525537.tif 000181
【０５７３】
は、高位層シグナリングにより設定したパラメータに基づいて決定されたＰＨＩＣＨグループ数である。
【０５７４】
好ましくは、前記ネットワーク側装置がサブフレームｎ+ｋＰＨＩＣＨにおいて前記ＰＵＳＣＨに対応するＰＨＩＣＨを送信するには、
前記ネットワーク側装置は、スペシャルサブフレームｎにおいて伝送されるＰＵＳＣＨの最小のＰＲＢインデックス、前記ＰＵＳＣＨのスケジューリング情報により示すＤＭＲＳのサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信する。
【０５７５】
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なる。
【０５７６】
好ましくは、ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【０５７７】
【数１７６】
2019525537.tif 000182
【０５７８】
グループのＰＨＩＣＨリソースが含まれ、ｍiは２である。
【０５７９】
前記iは前記サブフレームｎ+ｋＰＨＩＣＨの番号であり、
【０５８０】
【数１７７】
2019525537.tif 000183
【０５８１】
は、高位層シグナリングにより設定したパラメータに基づいて決定されたＰＨＩＣＨグループ数である。
【０５８２】
好ましくは、前記ネットワーク側装置がサブフレームｎ+ｋＰＨＩＣＨにおいて前記ＰＵＳＣＨに対応するＰＨＩＣＨを送信するには、
前記ネットワーク側装置は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信する。
【０５８３】
前記ＩＰＨＩＣＨは、ＰＨＩＣＨリソースを決定するためのパラメータである。
【０５８４】
好ましくは、ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【０５８５】
【数１７８】
2019525537.tif 000184
【０５８６】
グループのＰＨＩＣＨリソースが含まれ、ｍiが３である。
【０５８７】
前記iは前記サブフレームｎ+ｋＰＨＩＣＨの番号であり、
【０５８８】
【数１７９】
2019525537.tif 000185
【０５８９】
は、高位層シグナリングにより設定したパラメータに基づいて決定されたＰＨＩＣＨグループ数である。
【０５９０】
好ましくは、前記ネットワーク側装置がサブフレームｎ+ｋＰＨＩＣＨにおいて前記ＰＵＳＣＨに対応するＰＨＩＣＨを送信するには、
前記ネットワーク側装置は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信する。
【０５９１】
前記ＩＰＨＩＣＨは、ＰＨＩＣＨリソースを決定するためのパラメータである。
【０５９２】
以下例を挙げて、本発明の技術案を詳細に説明する。
【０５９３】
<実施例１>
ＴＤＤ  ＵＬ／ＤＬ構成１の例を挙げる。スペシャルサブフレーム１または６弐おけるＵｐＰＴＳにおいてＰＵＳＣＨを伝送し、ｋＰＨＩＣＨ=４とすれば、ＴＤＤ  ＵＬ／ＤＬ構成１のアップリンクにおいて伝送れる場合、ｋＰＨＩＣＨを以下通りに定義する。
【０５９４】
スペシャルサブフレーム１において伝送されるＰＵＳＣＨは、サブフレーム５において、ＰＨＩＣＨを検出し、スペシャルサブフレーム６において伝送されるＰＵＳＣＨは、次の無線フレーム内のサブフレーム０においてＰＨＩＣＨを検出する。表４のｍiの定義によれば、サブフレーム０及び５において、０であり，即ち、ＰＨＩＣＨリソースが存在しない。ＵｐＰＴＳ内のＰＵＳＣＨのフィードバック情報がＰＨＩＣＨにより伝送されることをサポートするため、サブフレーム０及び５におけるｍi=１と定義する必要があり、即ち、サブフレーム０及び５には、
【０５９５】
【数１８０】
2019525537.tif 000186
【０５９６】
グループのＰＨＩＣＨリソースが存在する。表５を参考されたい。
【０５９７】
【表５】
2019525537.tif 000187
【０５９８】
システムダウンリンク帯域幅
【０５９９】
【数１８１】
2019525537.tif 000188
【０６００】
とし、Ｎｇ=１/６、ノーマルＣＰと事前に設定すれば、下記数式（１）で
【０６０１】
【数１８２】
2019525537.tif 000189
【０６０２】
を得る。即ち、サブフレーム０及び５には、３グループのＰＨＩＣＨリソースが存在し、
【０６０３】
【数１８３】
2019525537.tif 000190
【０６０４】
はＰＨＩＣＨ番号であり、０、１、２であることができる。
【０６０５】
【数１８４】
2019525537.tif 000191
【０６０６】
は、各グループ内の直交シーケンス番号であり、ノーマルＣＰ（CyclicPrefix）の場合、０~７である。
【０６０７】
【数１８５】
2019525537.tif 000192
【０６０８】
【表６】
2019525537.tif 000193
【０６０９】
基地局側
端末に、スペシャルサブフレーム１においてＰＵＳＣＨを伝送させるようにスケジューリングし、最小のＰＲＢ ｉｎｄｅｘは０である。ＰＵＳＣＨをスケジューリングするＤＣＩ（即ち、ＵＬ ｇｒａｎｔを搬送するＰＤＣＣＨ/ＥＰＤＣＣＨ）内に示されたＤＭＲＳサイクリック・シフト状態は「０００」である。スペシャルサブフレーム１において、端末より送信されたＰＵＳＣＨを受信し、１ビットのＡＣＫ/ＮＡＣＫフィードバック情報を取得する。最小のＰＲＢ ｉｎｄｅｘに基づき、
【０６１０】
【数１８６】
2019525537.tif 000194
【０６１１】
を決定する。表３に従って、
【０６１２】
【数１８７】
2019525537.tif 000195
【０６１３】
と決定する。ＴＤＤ構成０のサブフレーム４または９におけるＰＵＳＣＨの以外、他のＰＵＳＣＨが
【０６１４】
【数１８８】
2019525537.tif 000196
【０６１５】
に対応するとの事前の約定により、スペシャルサブフレーム１におけるＰＵＳＣＨが
【０６１６】
【数１８９】
2019525537.tif 000197
【０６１７】
に対応すると決定する。下記数式（２）により、当該ＰＵＳＣＨ的ＰＨＩＣＨリソースパラメータを得られ、
【０６１８】
【数１９０】
2019525537.tif 000198
【０６１９】
。こうして、当該ＰＵＳＣＨの１ビットのＡＣＫ/ＮＡＣＫフィードバック情報をコーディング、変調して、及び
【０６２０】
【数１９１】
2019525537.tif 000199
【０６２１】
に対応する直交シーケンスを、直交拡散した後、
【０６２２】
【数１９２】
2019525537.tif 000200
【０６２３】
に対応するＰＨＩＣＨリソースにマッピングして伝送する。
【０６２４】
【数１９３】
2019525537.tif 000201
【０６２５】
端末側
ＰＵＳＣＨのスケジューリング情報を受信して、ＰＵＳＣＨの最小のＰＲＢ ｉｎｄｅｘ和ＤＭＲＳサイクリック・シフトの指示状態を取得し、スケジューリング情報に基づき、スペシャルサブフレーム１において、当該ＰＵＳＣＨを送信する。
【０６２６】
上述の基地局側と同様な方法で当該ＰＵＳＣＨのＰＨＩＣＨリソースパラメータを取得し、
【０６２７】
【数１９４】
2019525537.tif 000202
【０６２８】
である。こうして、
【０６２９】
【数１９５】
2019525537.tif 000203
【０６３０】
に対応するＰＨＩＣＨリソース
【０６３１】
【数１９６】
2019525537.tif 000204
【０６３２】
に対応する直交シーケンスを用いるＰＨＩＣＨを検出し、さらに、復調・デコーディングして当該ＰＵＳＣＨの１ビットのＡＣＫ/ＮＡＣＫフィードバック情報を取得する。
【０６３３】
実施例２
ＴＤＤ  ＵＬ／ＤＬ構成１の例を挙げる。スペシャルサブフレーム１または６におけるＵｐＰＴＳにおいてＰＵＳＣＨを伝送する。ｋＰＨＩＣＨ=５とするように定義すれば、ＴＤＤ  ＵＬ／ＤＬ構成１のアップリンクにおいて伝送されるｋＰＨＩＣＨの定義は以下とおりである。
【０６３４】
スペシャルサブフレーム１及びアップリンクサブフレーム２において伝送されるＰＵＳＣＨのいずれも、サブフレーム６においてＰＨＩＣＨを検出し、スペシャルサブフレーム６及びアップリンクサブフレーム７において伝送されるＰＵＳＣＨのいずれも、次の無線フレーム内のサブフレーム１においてＰＨＩＣＨを検出する。システムダウンリンク帯域幅
【０６３５】
【数１９７】
2019525537.tif 000205
【０６３６】
、Ｎｇ=１/６、ノーマルＣＰが事前に設定された場合、数式（１）に従って
【０６３７】
【数１９８】
2019525537.tif 000206
【０６３８】
を取得する。
【０６３９】
【数１９９】
2019525537.tif 000207
【０６４０】
は、各グループ内の直交シーケンス番号であり、ノーマルＣＰの場合０~７であることができる。
【０６４１】
【表７】
2019525537.tif 000208
【０６４２】
方法１：
システムにおけるＰＨＩＣＨリソースを拡張しなければ、表４のｍiの定義に基づき、サブフレーム１及び６において、ｍiは１である。即ち、
【０６４３】
【数２００】
2019525537.tif 000209
【０６４４】
グループのＰＨＩＣＨリソースのみが存在し、
【０６４５】
【数２０１】
2019525537.tif 000210
【０６４６】
はＰＨＩＣＨ番号であり、０、１、２とすることができる。
【０６４７】
基地局側
端末にスペシャルサブフレーム１においてＰＵＳＣＨ-１を伝送させるように、スケジューリングし、最小のＰＲＢ ｉｎｄｅｘは０である。ＰＵＳＣＨをスケジューリングするＤＣＩ（即ち、ＵＬ ｇｒａｎｔを搬送するＰＤＣＣＨ/ＥＰＤＣＣＨ）において示されたＤＭＲＳサイクリック・シフト状態は「０００」である。スペシャルサブフレーム１において、端末により送信されたＰＵＳＣＨ-１を受信し、１ビットのＡＣＫ/ＮＡＣＫフィードバック情報を取得する。最小のＰＲＢ ｉｎｄｅｘに基づき、
【０６４８】
【数２０２】
2019525537.tif 000211
【０６４９】
を決定し、表３に基づき
【０６５０】
【数２０３】
2019525537.tif 000212
【０６５１】
と検定する。ＴＤＤ構成０のサブフレーム４または９におけるＰＵＳＣＨの以外、他のＰＵＳＣＨのいずれも
【０６５２】
【数２０４】
2019525537.tif 000213
【０６５３】
に対応するとの事前の約定により、ＰＵＳＣＨ-１が
【０６５４】
【数２０５】
2019525537.tif 000214
【０６５５】
に対応すると決定する。数式（２）により、当該ＰＵＳＣＨ-１のＰＨＩＣＨリソースパラメータを取得し、
【０６５６】
【数２０６】
2019525537.tif 000215
【０６５７】
である。こうして、当該ＰＵＳＣＨ-１の１ビットフィードバック情報をコーディング、変調して、及び
【０６５８】
【数２０７】
2019525537.tif 000216
【０６５９】
に対応する直交シーケンスを、直交拡散した後、
【０６６０】
【数２０８】
2019525537.tif 000217
【０６６１】
に対応するＰＨＩＣＨリソースにマッピングして伝送する。
【０６６２】
端末にアップリンクサブフレーム２において伝送ＰＵＳＣＨ-２を伝送させるようにスケジューリングし、最小のＰＲＢ ｉｎｄｅｘは０である。ＰＵＳＣＨをスケジューリングするＤＣＩ（即ち、ＵＬ ｇｒａｎｔを搬送するＰＤＣＣＨ/ＥＰＤＣＣＨ）において示されたＤＭＲＳサイクリック・シフト状態は「００１」である。アップリンクサブフレーム２において、端末により送信されたＰＵＳＣＨ-２を受信し、１ビットのＡＣＫ/ＮＡＣＫフィードバック情報を取得する。最小のＰＲＢ ｉｎｄｅｘに基づき、
【０６６３】
【数２０９】
2019525537.tif 000218
【０６６４】
と決定する。表５似基づき、
【０６６５】
【数２１０】
2019525537.tif 000219
【０６６６】
と決定する。ＴＤＤ構成０のサブフレーム４または９におけるＰＵＳＣＨの以外、他のＰＵＳＣＨのいずれも
【０６６７】
【数２１１】
2019525537.tif 000220
【０６６８】
に対応するとの事前約定により、ＰＵＳＣＨ-２が
【０６６９】
【数２１２】
2019525537.tif 000221
【０６７０】
に対応すると決定する。数式（２）により、当該ＰＵＳＣＨ-２のＰＨＩＣＨリソースパラメータを取得することができ、
【０６７１】
【数２１３】
2019525537.tif 000222
【０６７２】
である。こうして、当該ＰＵＳＣＨ-２の１ビットのＡＣＫ/ＮＡＣＫフィードバック情報をコーディング、変調して、及び
【０６７３】
【数２１４】
2019525537.tif 000223
【０６７４】
に対応する直交シーケンスを、直交拡散した後、
【０６７５】
【数２１５】
2019525537.tif 000224
【０６７６】
に対応するＰＨＩＣＨリソースにマッピングして伝送する。ＰＵＳＣＨ-１及びＰＵＳＣＨ-２の直交シーケンスが異なるため、同一のリソースにマッピングしても、直交シーケンスにより識別することができる。
【０６７７】
端末側
ＰＵＳＣＨ-１のスケジューリング情報を受信し、ＰＵＳＣＨ-１の最小のＰＲＢ ｉｎｄｅｘ及びＤＭＲＳサイクリック・シフトの指示状態を取得し、スケジューリング情報に基づきを受信し、スペシャルサブフレーム１において、当該ＰＵＳＣＨ-１を送信する。ＰＵＳＣＨ-２のスケジューリング情報を受信し、ＰＵＳＣＨ-２の最小のＰＲＢ ｉｎｄｅｘ及びＤＭＲＳサイクリック・シフトの指示状態を取得し、スケジューリング情報に基づき、アップリンクサブフレーム２において、当該ＰＵＳＣＨ-２を送信する。
【０６７８】
上述の基地局側と同様な方法で当該ＰＵＳＣＨ-１のＰＨＩＣＨリソースパラメータを取得し、
【０６７９】
【数２１６】
2019525537.tif 000225
【０６８０】
である。こうして、
【０６８１】
【数２１７】
2019525537.tif 000226
【０６８２】
に対応するＰＨＩＣＨリソースにおいて、
【０６８３】
【数２１８】
2019525537.tif 000227
【０６８４】
に対応する直交シーケンスを用いるＰＨＩＣＨを検出し、さらに、復調・デコーディングして、当該ＰＵＳＣＨ-１の１ビットのＡＣＫ/ＮＡＣＫフィードバック情報を得る。上述した基地局側と同様な方法で当該ＰＵＳＣＨ-２的ＰＨＩＣＨリソースパラメータを得、
【０６８５】
【数２１９】
2019525537.tif 000228
【０６８６】
である。こうして、
【０６８７】
【数２２０】
2019525537.tif 000229
【０６８８】
に対応するＰＨＩＣＨリソースにおいて、
【０６８９】
【数２２１】
2019525537.tif 000230
【０６９０】
に対応する直交シーケンスを用いるＰＨＩＣＨを検出し、さらに、復調・デコーディングして、当該ＰＵＳＣＨ-２の１ビットのＡＣＫ/ＮＡＣＫフィードバック情報を得る。
【０６９１】
方法２
システムにおけるＰＨＩＣＨリソースを拡張し、サブフレーム１及び６においてｍi=２と定義する。即ち、
【０６９２】
【数２２２】
2019525537.tif 000231
【０６９３】
グループのＰＨＩＣＨリソースが存在し、
【０６９４】
【数２２３】
2019525537.tif 000232
【０６９５】
はＰＨＩＣＨ番号であり、０~５とすることができる。また、ＵｐＰＴＳまたはスペシャルサブフレームにおいて伝送されるＰＵＳＣＨが
【０６９６】
【数２２４】
2019525537.tif 000233
【０６９７】
に対応し、たのサブフレームにおいて伝送されるＰＵＳＣＨが
【０６９８】
【数２２５】
2019525537.tif 000234
【０６９９】
に対応すると定義する。
【０７００】
基地局側
端末に、スペシャルサブフレーム１においてＰＵＳＣＨ-１を伝送させるように、スケジューリングし、最小のＰＲＢ ｉｎｄｅｘは０である。ＰＵＳＣＨをスケジューリングするＤＣＩ（即ち、ＵＬ ｇｒａｎｔを搬送するＰＤＣＣＨ/ＥＰＤＣＣＨ）において示されたＤＭＲＳサイクリック・シフト状態は「０００」である。スペシャルサブフレーム１において端末により送信されたＰＵＳＣＨ-１を受信し、１ビットのＡＣＫ/ＮＡＣＫフィードバック情報を取得する。最小のＰＲＢ ｉｎｄｅｘに基づき、
【０７０１】
【数２２６】
2019525537.tif 000235
【０７０２】
であると決定し、表５により、
【０７０３】
【数２２７】
2019525537.tif 000236
【０７０４】
であると決定する。上記
【０７０５】
【数２２８】
2019525537.tif 000237
【０７０６】
の規定により、ＰＵＳＣＨ-１が
【０７０７】
【数２２９】
2019525537.tif 000238
【０７０８】
に対応すると決定し、数式（２）により、当該ＰＵＳＣＨ-１のＰＨＩＣＨリソースパラメータを得、
【０７０９】
【数２３０】
2019525537.tif 000239
【０７１０】
である。こうして、当該ＰＵＳＣＨ-１の１ビットフィードバック情報をコーディング、変調して、及び
【０７１１】
【数２３１】
2019525537.tif 000240
【０７１２】
に対応する直交シーケンスを、直交拡散した後、
【０７１３】
【数２３２】
2019525537.tif 000241
【０７１４】
に対応するＰＨＩＣＨリソースにマッピングして伝送する。
【０７１５】
端末に、アップリンクサブフレーム２においてＰＵＳＣＨ-２を伝送させるように、スケジューリングし、最小のＰＲＢ ｉｎｄｅｘは０である。ＰＵＳＣＨをスケジューリングするＤＣＩ（即ち、ＵＬ ｇｒａｎｔを搬送するＰＤＣＣＨ/ＥＰＤＣＣＨ）においてしめされたＤＭＲＳサイクリック・シフト状態は「０００」である。アップリンクサブフレーム２において、端末により送信されたＰＵＳＣＨ-２を受信し、１ビットのＡＣＫ/ＮＡＣＫフィードバック情報を取得する。最小のＰＲＢ ｉｎｄｅｘに基づき、
【０７１６】
【数２３３】
2019525537.tif 000242
【０７１７】
であると決定し、表５により、
【０７１８】
【数２３４】
2019525537.tif 000243
【０７１９】
であると決定する。上述した規定により、ＰＵＳＣＨが
【０７２０】
【数２３５】
2019525537.tif 000244
【０７２１】
に対応すると決定する。数式（２）により、当該ＰＵＳＣＨ-２的ＰＨＩＣＨリソースパラメータを得、
【０７２２】
【数２３６】
2019525537.tif 000245
【０７２３】
である。こうして、当該ＰＵＳＣＨ-２の１ビットフィードバック情報をコーディング、変調して、及び
【０７２４】
【数２３７】
2019525537.tif 000246
【０７２５】
に対応する直交シーケンスを、直交拡散した後、
【０７２６】
【数２３８】
2019525537.tif 000247
【０７２７】
に対応するＰＨＩＣＨリソースにマッピングして伝送する。ＰＵＳＣＨ-１及びＰＵＳＣＨ-２の直交シーケンスが同じであるが、異なるＰＨＩＣＨリソースにおいて伝送されるため、識別することができる。
【０７２８】
端末側
ＰＵＳＣＨ-１のスケジューリング情報を受信し、ＰＵＳＣＨ-１の最小のＰＲＢ ｉｎｄｅｘ及びＤＭＲＳサイクリック・シフトの指示状態を得、スケジューリング情報に基づき、スペシャルサブフレーム１において当該ＰＵＳＣＨ-１を送信する。ＰＵＳＣＨ-２のスケジューリング情報を受信し、ＰＵＳＣＨ-２の最小のＰＲＢ ｉｎｄｅｘ及びＤＭＲＳサイクリック・シフトの指示状態を得、スケジューリング情報に基づき、アップリンクサブフレーム２において当該ＰＵＳＣＨ-２を送信する。
【０７２９】
上述した基地局側と同様な方法で当該ＰＵＳＣＨ-１のＰＨＩＣＨリソースパラメータを取得し、
【０７３０】
【数２３９】
2019525537.tif 000248
【０７３１】
である。こうして、
【０７３２】
【数２４０】
2019525537.tif 000249
【０７３３】
に対応するＰＨＩＣＨリソースにおいて、
【０７３４】
【数２４１】
2019525537.tif 000250
【０７３５】
に対応する直交シーケンスを用いるＰＨＩＣＨを検出し、さらに、復調・デコーディングして、当該ＰＵＳＣＨ-１の１ビットのＡＣＫ/ＮＡＣＫフィードバック情報を得る。上述した基地局側と同様な方法で当該ＰＵＳＣＨ-２のＰＨＩＣＨリソースパラメータを得、
【０７３６】
【数２４２】
2019525537.tif 000251
【０７３７】
である。こうして、
【０７３８】
【数２４３】
2019525537.tif 000252
【０７３９】
に対応するＰＨＩＣＨリソースにおいて、
【０７４０】
【数２４４】
2019525537.tif 000253
【０７４１】
に対応する直交シーケンスを用いるＰＨＩＣＨを検出し、さらに、復調・デコーディングして、当該ＰＵＳＣＨ-２の１ビットのＡＣＫ/ＮＡＣＫフィードバック情報を得る。
【０７４２】
要するに、本発明の実施例に係る端末は、スペシャルサブフレームｎにおいてＰＵＳＣＨを送信し、サブフレームｎ+ｋＰＨＩＣＨにおいて前記ＰＵＳＣＨに対応するＰＨＩＣＨを受信し、前記ＰＨＩＣＨは前記ＰＵＳＣＨのフィードバック情報を搬送することに用いられ、ネットワーク側装置は、スペシャルサブフレームｎにおいてＰＵＳＣＨを受信し、サブフレームｎ+ｋＰＨＩＣＨにおいて前記ＰＵＳＣＨに対応するＰＨＩＣＨを送信する。こうして、ＵｐＰＴＳにおいて伝送されるＰＵＳＣＨに対するＡＣＫ/ＮＡＣＫフィードバックを実現する。
【０７４３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０７４４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０７４５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０７４６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０７４７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０７４８】
本出願は、２０１６年０６月２２日に中国特許局に提出し、出願番号が２０１６１０４６０６９０.８であり、発明名称が「フィードバック情報を送受信する方法及び装置」との中国特許出願を基礎とする優先権を主張し、その開示の総てをここに取り込む。
【符号の説明】
【０７４９】
１０  端末
２０  ネットワーク側装置
３００  送信モジュール
３０１  第１受信モジュール
４００  第２受信モジュール
４０１  フィードバックモジュール
５０１  プロセッサ
５０２  送受信機
５０３  バスインターフェース
５０４  メモリ
５０５  ユーザーインターフェース
６００  バス
６０１  プロセッサ
６０２  送受信機
６０３  バスインターフェース
６０４  メモリ
６０５  アンテナ
【図１】
2019525537.tif 000302
【図２】
2019525537.tif 000303
【図３】
2019525537.tif 000304
【図４】
2019525537.tif 000305
【図５】
2019525537.tif 000306
【図６】
2019525537.tif 000307
【図７】
2019525537.tif 000308
【図８】
2019525537.tif 000309
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
端末は、スペシャルサブフレームｎにおいて物理アップリンク共有チャネル（ＰＵＳＣＨ）を送信するステップと、
前記端末は、サブフレームｋＰＨＩＣＨにおいて、前記ＰＵＳＣＨに対応するＨＡＲＱ（Ｐｈｙｓｉｃａｌ Ｈｙｂｒｉｄ Ａｕｔｏｍａｔｉｃ Ｒｅｐｅａｔ Ｒｅｑｕｅｓｔ）指示チャネル（ＰＨＩＣＨ）を受信するステップとを備え、
前記ＰＨＩＣＨは、前記ＰＵＳＣＨのフィードバック情報を搬送し、ｋＰＨＩＣＨは事前に約定したまたは設定した値であることを特徴とするフィードバック情報を受信する方法。
【請求項２】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項１に記載のフィードバック情報を受信する方法。
【請求項３】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、
前記サブフレームｎ+ｋＰＨＩＣＨに
【数１】
2019525537.tif 000310
グループのＰＨＩＣＨが含まれ、ｍiは１であり、
前記iは前記サブフレームｎ+ｋＰＨＩＣＨの番号であり、
【数２】
2019525537.tif 000311
は、高位層シグナリングにより設定したパラメータに基づいて決定されたＰＨＩＣＨグループ数であり、
及び/または、
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数３】
2019525537.tif 000312
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数４】
2019525537.tif 000313
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【数５】
2019525537.tif 000314
グループのＰＨＩＣＨリソースが含まれ、ｍiは２であり、
前記iは前記サブフレームｎ+ｋＰＨＩＣＨの番号であり、
【数６】
2019525537.tif 000315
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数７】
2019525537.tif 000316
グループのＰＨＩＣＨリソースが含まれ、ｍiが３であり、
前記iは前記サブフレームｎ+ｋＰＨＩＣＨの番号であり、
【数８】
2019525537.tif 000317
は、高位層シグナリングにより設定したパラメータに基づいて決定されたＰＨＩＣＨグループ数であることを特徴とする請求項２に記載のフィードバック情報を受信する方法。
【請求項４】
ｍiが1である場合、前記端末は、サブフレームｎ+ｋＰＨＩＣＨにおいて前記ＰＵＳＣＨに対応するＰＨＩＣＨを受信するステップでは、
前記端末は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであり、
ｍiが３ＧＰＰ ＴＳ ３６.２１１プロトコルにおいて定義された値である場合、
前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨの最小の物理リソースブロック（ＰＲＢ）インデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示す復調リファレンス・シンボル（ＤＭＲＳ）のサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なり、
ｍiが２である場合、
前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであり、
ｍiが３である場合、
前記端末は、サブフレームｎ+ｋＰＨＩＣＨにおいて前記ＰＵＳＣＨに対応するＰＨＩＣＨを受信するのは、
前記端末は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記端末は、決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項３に記載のフィードバック情報を受信する方法。
【請求項５】
ネットワーク側装置は、スペシャルサブフレームｎにおいてＰＵＳＣＨを受信するステップと、
前記ネットワーク側装置は、サブフレームｎ+ｋＰＨＩＣＨにおいて前記ＰＵＳＣＨに対応するＰＨＩＣＨを送信するステップとを備え、
前記ＰＨＩＣＨは、前記ＰＵＳＣＨのフィードバック情報を搬送し、ｋＰＨＩＣＨは事前に約定したまたは設定した値であることを特徴とするフィードバック情報を送信する方法。
【請求項６】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項５に記載のフィードバック情報を送信する方法。
【請求項７】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【数９】
2019525537.tif 000318
グループのＰＨＩＣＨが含まれ、ｍiは１であり、
前記iは前記サブフレームｎ+ｋＰＨＩＣＨの番号であり、
【数１０】
2019525537.tif 000319
は、高位層シグナリングにより設定したパラメータに基づいて決定されたＰＨＩＣＨグループ数であり、
及び/または、
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数１１】
2019525537.tif 000320
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数１２】
2019525537.tif 000321
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、前記サブフレームｎ+ｋＰＨＩＣＨに
【数１３】
2019525537.tif 000322
グループのＰＨＩＣＨリソースが含まれ、ｍiは２であり、
前記iは前記サブフレームｎ+ｋＰＨＩＣＨの番号であり、
【数１４】
2019525537.tif 000323
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数１５】
2019525537.tif 000324
グループのＰＨＩＣＨリソースが含まれ、ｍiが３であり、
前記iは前記サブフレームｎ+ｋＰＨＩＣＨの番号であり、
【数１６】
2019525537.tif 000325
は、高位層シグナリングにより設定したパラメータに基づいて決定されたＰＨＩＣＨグループ数であることを特徴とする請求項６に記載のフィードバック情報を送信する方法。
【請求項８】
ｍiが1である場合、前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであり、
ｍiが３ＧＰＰ ＴＳ ３６.２１１プロトコルにおいて定義された値である場合、
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なり、
ｍiが２である場合、
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであり、
ｍiが３である場合、
前記ネットワーク側装置がサブフレームｎ+ｋＰＨＩＣＨにおいて前記ＰＵＳＣＨに対応するＰＨＩＣＨを送信する場合、
前記ネットワーク側装置は、スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
前記ネットワーク側装置決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項７に記載のフィードバック情報を送信する方法。
【請求項９】
スペシャルサブフレームｎにおいてＰＵＳＣＨを送信する送信モジュールと、
サブフレームｎ+ｋＰＨＩＣＨにおいて前記ＰＵＳＣＨに対応するＰＨＩＣＨを受信し、前記ＰＨＩＣＨは、前記ＰＵＳＣＨのフィードバック情報を搬送し、ｋＰＨＩＣＨは事前に約定したまたは設定した値である第１受信モジュールとを備えることを特徴とするフィードバック情報を受信する端末。
【請求項１０】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
ここで、前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項９に記載のフィードバック情報を受信する端末。
【請求項１１】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、前記サブフレームｎ+ｋＰＨＩＣＨに
【数１７】
2019525537.tif 000326
グループのＰＨＩＣＨが含まれ、ｍiは１であり、
前記iは前記サブフレームｎ+ｋＰＨＩＣＨの番号であり、
【数１８】
2019525537.tif 000327
は、高位層シグナリングにより設定したパラメータに基づいて決定されたＰＨＩＣＨグループ数であり、
及び/または、
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数１９】
2019525537.tif 000328
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数２０】
2019525537.tif 000329
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、
前記サブフレームｎ+ｋＰＨＩＣＨに
【数２１】
2019525537.tif 000330
グループのＰＨＩＣＨリソースが含まれ、ｍiは２であり、
前記iは前記サブフレームｎ+ｋＰＨＩＣＨの番号であり、
【数２２】
2019525537.tif 000331
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム０または５であれば、前記サブフレームｎ+ｋＰＨＩＣＨに
【数２３】
2019525537.tif 000332
グループのＰＨＩＣＨリソースが含まれ、ｍiが３であり、
前記iは前記サブフレームｎ+ｋＰＨＩＣＨの番号であり、
【数２４】
2019525537.tif 000333
は、高位層シグナリングにより設定したパラメータに基づいて決定されたＰＨＩＣＨグループ数であることを特徴とする請求項１０に記載のフィードバック情報を受信する端末。
【請求項１２】
ｍiが1である場合、
前記第１受信モジュールは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであり、
ｍiが３ＧＰＰ ＴＳ ３６.２１１プロトコルにおいて定義された値である場合、
前記第１受信モジュールは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを受信する対応のアップリンクサブフレームにおいて伝送されるＰＵＳＣＨのスケジューリング情報により示すＤＭＲＳのサイクリック・シフト情報と異なり、
ｍiが２である場合、
前記第１受信モジュールは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであり、
ｍiが３である場合、
スペシャルサブフレームｎにおいて伝送されるＰＵＳＣＨに対応するＩＰＨＩＣＨ=２を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて、前記ＰＵＳＣＨに対応するＰＨＩＣＨを受信し、
前記ＩＰＨＩＣＨは、前記ＰＨＩＣＨリソースを決定するためのパラメータであることを特徴とする請求項１１に記載のフィードバック情報を受信する端末。
【請求項１３】
スペシャルサブフレームｎにおいてＰＵＳＣＨを受信する第２受信モジュールと、
サブフレームｎ+ｋＰＨＩＣＨにおいて前記ＰＵＳＣＨに対応するＰＨＩＣＨを送信し、前記ＰＨＩＣＨは、前記ＰＵＳＣＨのフィードバック情報を搬送し、ｋＰＨＩＣＨは事前に約定したまたは設定した値である、フィードバックモジュールとを備えることを特徴とするフィードバック情報を送信するネットワーク側装置。
【請求項１４】
ＴＤＤ  ＵＬ／ＤＬ構成０の場合、ｎが１または６であれば、ｋＰＨＩＣＨは、４、５、９及び１０のうちの１つであり、または、
ＴＤＤ  ＵＬ／ＤＬ構成１の場合、ｎが１または６であれば、ｋＰＨＩＣＨは、３、４、５、８、９及び１０のうちの１つであり、または、
ＴＤＤ  ＵＬ／ＤＬ構成２の場合、ｎが１または６であれば、ｋＰＨＩＣＨは、２、３、４、５、７、８、９及び１０のうちの１つであり、または、
ＴＤＤ  ＵＬ／ＤＬ構成３の場合、ｎが１であれば、ｋＰＨＩＣＨは４、５、６、７、８、９及び１０のうちの１つであり、または、
ＴＤＤ  ＵＬ／ＤＬ構成４の場合、ｎが１であれば、ｋＰＨＩＣＨは、３、４、５、６、７、８、９及び１０のうちの１つであり、または、
ＴＤＤ  ＵＬ／ＤＬ構成５の場合、ｎが１であれば、ｋＰＨＩＣＨは、２、３、４、５、６、７、８、９及び１０のうちの１つであり、または、
ＴＤＤ  ＵＬ／ＤＬ構成６の場合、ｎが１であれば、ｋＰＨＩＣＨは、４、５、８、９及び１０のうちの１つであり、または、
ＴＤＤ  ＵＬ／ＤＬ構成６の場合、ｎが６であれば、ｋＰＨＩＣＨは３、４、５、９及び１０のうちの１つであり、
前記ＴＤＤ  ＵＬ／ＤＬ構成は、アップリンク・リファレンスＴＤＤ  ＵＬ／ＤＬ構成またはシステム情報により設定されたＴＤＤ  ＵＬ／ＤＬ構成であることを特徴とする請求項１３に記載のフィードバック情報を送信するネットワーク側装置。
【請求項１５】
ＴＤＤ  ＵＬ／ＤＬ構成１の場合、サブフレームｎ+ｋＰＨＩＣＨがサブフレーム０または５であり、または、ＴＤＤ  ＵＬ／ＤＬ構成２の場合、サブフレームｎ+ｋＰＨＩＣＨがサブフレーム０、１、４、５、６または９であり、または、ＴＤＤ  ＵＬ／ＤＬ構成３の場合、サブフレームｎ+ｋＰＨＩＣＨがサブフレーム１、５、６または７であり、または、ＴＤＤ  ＵＬ／ＤＬ構成４の場合、サブフレームｎ+ｋＰＨＩＣＨがサブフレーム０、１、４、５、６または７であり、または、ＴＤＤ  ＵＬ／ＤＬ構成５の場合、サブフレームｎ+ｋＰＨＩＣＨがサブフレーム０、１、３、４、５、６、７または９であれば、
前記サブフレームｎ+ｋＰＨＩＣＨに
【数２５】
2019525537.tif 000334
グループのＰＨＩＣＨが含まれ、ｍiは１であり、
前記iは前記サブフレームｎ+ｋＰＨＩＣＨの番号であり、
【数２６】
2019525537.tif 000335
は、高位層シグナリングにより設定したパラメータに基づいて決定されたＰＨＩＣＨグループ数であり、
及び/または、
ＴＤＤ  ＵＬ／ＤＬ構成０の場合、ｋＰＨＩＣＨが４、５、９または１０であり、または、ＴＤＤ  ＵＬ／ＤＬ構成１の場合、ｋＰＨＩＣＨが３、５、８または１０であり、または、ＴＤＤ  ＵＬ／ＤＬ構成２の場合、ｋＰＨＩＣＨが２または７であり、または、ＴＤＤ  ＵＬ／ＤＬ構成３の場合、ｋＰＨＩＣＨが７、８または９であり、または、ＴＤＤ  ＵＬ／ＤＬ構成４の場合、ｋＰＨＩＣＨが７または８であり、または、ＴＤＤ  ＵＬ／ＤＬ構成５の場合、ｋＰＨＩＣＨが７であり、または、ＴＤＤ  ＵＬ／ＤＬ構成６の場合、ｋＰＨＩＣＨが３、４、５、８、９または１０であれば、前記サブフレームｎ+ｋＰＨＩＣＨに
【数２７】
2019525537.tif 000336
グループのＰＨＩＣＨが含まれ、ｍiは、３ＧＰＰ ＴＳ ３６.２１１プロトコルにおいて定義された値であり、
前記iは前記サブフレームｎ+ｋＰＨＩＣＨの番号であり、ｍiは、ＴＤＤシステムにおけるサブフレームiに対応するＰＨＩＣＨグループ数の係数を決定するためのものであり、
【数２８】
2019525537.tif 000337
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム１または６であり、または、ＴＤＤ  ＵＬ／ＤＬ構成１の場合、サブフレームｎ+ｋＰＨＩＣＨがサブフレーム１、４、６または９であり、または、ＴＤＤ  ＵＬ／ＤＬ構成２の場合、サブフレームｎ+ｋＰＨＩＣＨがサブフレーム３または８であり、または、ＴＤＤ  ＵＬ／ＤＬ構成３の場合、サブフレームｎ+ｋＰＨＩＣＨがサブフレーム０、８または９であり、または、ＴＤＤ  ＵＬ／ＤＬ構成４の場合、サブフレームｎ+ｋＰＨＩＣＨがサブフレーム８または９であり、または、ＴＤＤ  ＵＬ／ＤＬ構成５の場合、サブフレームｎ+ｋＰＨＩＣＨがサブフレーム８であり、または、ＴＤＤ  ＵＬ／ＤＬ構成６の場合、サブフレームｎ+ｋＰＨＩＣＨがサブフレーム０、１、５、６または９であれば、
前記サブフレームｎ+ｋＰＨＩＣＨに
【数２９】
2019525537.tif 000338
グループのＰＨＩＣＨリソースが含まれ、ｍiは２であり、
前記iは前記サブフレームｎ+ｋＰＨＩＣＨの番号であり、
【数３０】
2019525537.tif 000339
は、高位層シグナリングにより設定したパラメータに基づいて決定されたＰＨＩＣＨグループ数であり、
及び/または、
ＴＤＤ  ＵＬ／ＤＬ構成０の場合、サブフレームｎ+ｋＰＨＩＣＨがサブフレーム０または５であれば、
前記サブフレームｎ+ｋＰＨＩＣＨに
【数３１】
2019525537.tif 000340
グループのＰＨＩＣＨリソースが含まれ、ｍiが３であり、
前記iは前記サブフレームｎ+ｋＰＨＩＣＨの番号であり、
【数３２】
2019525537.tif 000341
は、高位層シグナリングにより設定したパラメータに基づいて決定されたＰＨＩＣＨグループ数であることを特徴とする請求項１４に記載のフィードバック情報を送信するネットワーク側装置。
【請求項１６】
ｍiが1である場合、
前記フィードバックモジュールは、
スペシャルサブフレームｎにおいて伝送されるＰＵＳＣＨに対応するＩＰＨＩＣＨ=０を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであり、
ｍiが３ＧＰＰ ＴＳ ３６.２１１プロトコルにおいて定義された値である場合、
前記フィードバックモジュールは、
スペシャルサブフレームｎにおいて伝送されるＰＵＳＣＨの最小のＰＲＢインデックス、前記ＰＵＳＣＨのスケジューリング情報により示す復調リファレンス・シンボル（ＤＭＲＳ）のサイクリック・シフト情報、及びスペシャルサブフレームｎにおいて伝送されるＰＵＳＣＨに対応する事前に約定したまたは設定したＩＰＨＩＣＨ値に基づき、前記サブフレームｎ+ｋＰＨＩＣＨ内の、前記スペシャルサブフレームｎにおいて伝送されるＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
ここで、前記スペシャルサブフレームｎにおいて伝送されるＰＵＳＣＨの最小のＰＲＢインデックスは、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨの最小のＰＲＢインデックスと異なり、及び/または、前記スペシャルサブフレームｎにおいて伝送されるＰＵＳＣＨのスケジューリング情報により示すＤＭＲＳのサイクリック・シフト情報は、前記サブフレームｎ+ｋＰＨＩＣＨにおいて前記ＩＰＨＩＣＨ値に基づきＰＨＩＣＨを送信する対応のアップリンクサブフレームにおいて伝送されるＰＵＳＣＨのスケジューリング情報により示すＤＭＲＳのサイクリック・シフト情報と異なり、
ｍiが２である場合、
前記フィードバックモジュールは、
スペシャルサブフレームｎにおいて伝送されるＰＵＳＣＨに対応するＩＰＨＩＣＨ=１を決定し、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであり、
ｍiが３である場合、
前記フィードバックモジュールは、
スペシャルサブフレームｎにおいて伝送されるＰＵＳＣＨに対応するＰＨＩＣＨ=２を決定しI、前記ＩＰＨＩＣＨ値に基づき、前記サブフレームｎ+ｋＰＨＩＣＨ内の前記ＰＵＳＣＨに対応するＰＨＩＣＨリソースを決定し、
決定されたＰＨＩＣＨリソースに基づき、サブフレームｎ+ｋＰＨＩＣＨにおいて前記ＰＵＳＣＨに対応するＰＨＩＣＨを送信し、
前記ＩＰＨＩＣＨは、前記ＰＨＩＣＨリソースを決定するためのパラメータであることを特徴とする請求項１５に記載のフィードバック情報を送信するネットワーク側装置。 
【国際調査報告】
2019525537.tif 000342
2019525537.tif 000343
2019525537.tif 000344
2019525537.tif 000345